(57)【特許請求の範囲】
【請求項１】
ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することと、
を備えるワイヤレス通信のための方法。
【請求項２】
前記データ信号または前記制御信号を送信することと再送信することとが、ワイヤレスチャネルの後続のサブフレームにおいて実行される、請求項１に記載の方法。
【請求項３】
前記ＵＥの処理能力が、前記ＵＥ応答時間より前に２つの非後続信号を前記ＵＥが受信し、処理することを可能にしない場合、後続のサブフレームにおいて送信することおよび再送信することを選択することをさらに備える、請求項１に記載の方法。
【請求項４】
前記ＵＥからの肯定応答（ＡＣＫ）または否定応答（ＮＡＣＫ）フィードバックから独立した前記制御信号または前記データ信号の同じまたは異なる冗長バージョン（ＲＶ）を送信することをさらに備える、請求項１に記載の方法。
【請求項５】
前記ＵＥからのＡＣＫ／ＮＡＣＫフィードバックから独立した前記制御信号または前記データ信号の異なるＲＶの組合せを送信することをさらに備える、請求項１に記載の方法。
【請求項６】
前記ＵＥによって送信された前記制御信号および前記データ信号に関係するＡＣＫ／ＮＡＣＫ信号に少なくとも部分的に基づいて、前記ＵＥによって観測されたダウンリンクチャネル状態を導出することをさらに備える、請求項１に記載の方法。
【請求項７】
ワイヤレス信号をユーザ機器（ＵＥ）と交換するためにワイヤレストランシーバを採用するための通信インターフェースと、
ワイヤレス通信におけるハイブリッド自動再送要求（ＨＡＲＱ）信号の低減された遅延を与えるための命令を記憶するためのメモリと、
前記命令を実装するモジュールを実行するためのデータプロセッサと
を備える、ワイヤレス通信のための装置であって、前記モジュールが、
ＨＡＲＱプロセスの制御信号またはデータ信号の再送信タイミングを確立する制御モジュールと、
前記ＨＡＲＱプロセスのための制御信号またはデータ信号を送信し、次いで前記ＨＡＲＱプロセスの最小分離時間未満中に再送信するために、前記再送信タイミングを採用する送信モジュールと、を備え、
前記送信モジュールは、さらに、前記制御信号が有効である送信時間間隔の持続時間（ＴＴＩの持続時間）を前記ＵＥに送信する装置。
【請求項８】
前記最小分離時間が、前記ＨＡＲＱプロセスにおけるダウンリンク送信を開始することと、前記ＵＥによるアップリンク肯定応答（ＡＣＫ）または否定応答（ＮＡＣＫ）送信の開始との間の応答期間を定義する、請求項７に記載の装置。
【請求項９】
前記制御信号または前記データ信号の送信および再送信が、前記最小分離時間内の後続のサブフレームまたは非後続のサブフレーム中にある、請求項７に記載の装置。
【請求項１０】
前記制御モジュールが、ＴＴＩの前記持続時間を送信するために、システム情報ブロック送信、無線リソース制御送信または物理ダウンリンク制御チャネル送信を確立する、請求項７に記載の装置。
【請求項１１】
前記制御モジュールが、ＴＴＩの前記持続時間内のそれぞれのＴＴＩについて冗長バージョン（ＲＶ）を指定するためのマッピング関数を採用する、請求項７に記載の装置。
【請求項１２】
前記制御モジュールが、ＴＴＩの前記持続時間内のそれぞれのＴＴＩについて、ＲＶと、前記ＵＥの識別子、セル識別子またはサブフレーム番号との間の確定関係を確立する、請求項７に記載の装置。
【請求項１３】
前記送信モジュールが、ＴＴＩの前記持続時間内に第２の制御信号のペイロードを送り、さらに、前記ペイロードが、前記ＨＡＲＱプロセスに、または前記ワイヤレス通信の別のＨＡＲＱプロセスに適用可能である、請求項７に記載の装置。
【請求項１４】
前記ワイヤレス通信のための送信電力制約と、前記ＵＥのターゲット受信エネルギーとを識別する電力モジュールをさらに備える、請求項７に記載の装置。
【請求項１５】
ハイブリッド自動再送要求プロセス（ＨＡＲＱプロセス）における制御信号およびデータ信号をユーザ機器（ＵＥ）に送信する手段と、
前記ＨＡＲＱプロセスのＵＥ応答時間より前に前記データ信号または前記制御信号を前記ＵＥに再送信する手段と、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択する手段と、
を備えるワイヤレス通信のための装置。
【請求項１６】
ハイブリッド自動再送要求プロセス（ＨＡＲＱプロセス）における制御信号およびデータ信号をユーザ機器（ＵＥ）に送信する第１のモジュールと、
前記ＨＡＲＱプロセスのＵＥ応答時間より前に前記データ信号または前記制御信号を前記ＵＥに再送信する第２のモジュールと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択する第３のモジュールと、
を備える、ワイヤレス通信のために構成された少なくとも１つのプロセッサ。
【請求項１７】
ハイブリッド自動再送要求プロセス（ＨＡＲＱプロセス）における制御信号およびデータ信号をユーザ機器（ＵＥ）に送信することをコンピュータに行わせるための第１のコードセットと、
前記ＨＡＲＱプロセスのＵＥ応答時間より前に前記データ信号または前記制御信号を前記ＵＥに再送信することを前記コンピュータに行わせるための第２のコードセットと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することを前記コンピュータに行わせるための第３のコードセットと、
を備える、コンピュータ可読記録媒体。
【請求項１８】
ハイブリッド自動再送要求プロセス（ＨＡＲＱプロセス）の信号タイムスロット上でデータ送信を受信することと、
前記ＨＡＲＱプロセスの後続の信号タイムスロット上で後続のデータ送信を受信することと、
前記データ送信に応答してフィードバック信号を送信するより前に前記データ送信と前記後続のデータ送信との組合せを復号することと、
前記ＨＡＲＱプロセスのためのデータ送信の復号を管理する制御チャネル信号を取得することと、
前記制御チャネル信号の送信時間間隔持続時間（ＴＴＩ持続時間）を指定または暗示するネットワーク命令を受信することと、
を備える、ワイヤレス通信の方法。
【請求項１９】
前記データ送信と前記後続のデータ送信とを復号することの結果を前記ＨＡＲＱプロセスのためのアップリンク肯定応答（ＡＣＫ）または否定応答（ＮＡＣＫ）応答において送ることをさらに備える、請求項１８に記載の方法。
【請求項２０】
前記データ送信を、前記後続のデータ送信と、または前記フィードバック信号を送信するより前に受信された追加の後続のデータ送信と、選択的に組み合わせることをさらに備える、請求項１８に記載の方法。
【請求項２１】
前記ＴＴＩ持続時間内に追加の制御チャネル信号を受信することと、前記追加の制御チャネル信号を復号することまたは廃棄することを選択することとをさらに備える、請求項１８に記載の方法。
【請求項２２】
ネットワークマッピング関数から前記ＴＴＩ持続時間のそれぞれのＴＴＩについて冗長バージョン（ＲＶ）を導出することをさらに備える、請求項１８に記載の方法。
【請求項２３】
セル識別子、ＵＥ識別子、または前記制御チャネル信号もしくは前記データ送信が受信されるサブフレーム番号、あるいはそれらの組合せに基づいて、前記ＴＴＩ持続時間のそれぞれのＴＴＩについてＲＶを判断することをさらに備える、請求項１８に記載の方法。
【請求項２４】
ワイヤレス信号を基地局と交換するための通信インターフェースと、
ワイヤレス通信のためのハイブリッド自動再送要求機能（ＨＡＲＱ機能）を与えるように構成された命令を記憶するためのメモリと、
前記命令を実装するためのモジュールを実行するためのデータプロセッサと
を備える、ワイヤレス通信のために構成された装置であって、前記モジュールが、
ＨＡＲＱプロセスのフィードバック応答ウィンドウ内に前記通信インターフェースによって受信された複数のデータ信号を取得するバッファモジュールと、
前記複数のデータ信号のうちの少なくとも１つの信号の受信エネルギーがターゲット信号対雑音比レベル（ターゲットＳＮＲレベル）を下回る場合、復号するために前記複数のデータ信号を組み合わせる分析モジュールと、を備え、
前記分析モジュールは、前記複数のデータ信号または前記複数のデータ信号の再送信の位置を特定し、それらを復号することに関する情報を含んでいる制御チャネル命令を復号する装置。
【請求項２５】
前記複数のデータ信号に応答して肯定応答（ＡＣＫ）または否定応答（ＮＡＣＫ）シグナリング（ＡＣＫ／ＮＡＣＫシグナリング）を実行するフィードバックモジュールをさらに備える、請求項２４に記載の装置。
【請求項２６】
前記制御チャネル命令が有効である持続時間を識別する有効性モジュールをさらに備える、請求項２４に記載の装置。
【請求項２７】
前記有効性モジュールが、前記制御チャネル命令もしくは関係する制御チャネル命令から、無線リソース制御シグナリングから、またはシステム情報シグナリングから、あるいはそれらの組合せから、前記持続時間を明示的に判断する、請求項２６に記載の装置。
【請求項２８】
セル識別子、ユーザ機器識別子、または  前記制御チャネル命令のサブフレーム、あるいはそれらの組合せに基づいて、確定マッピング関数から、前記持続時間内のダウンリンク送信のための送信固有変数を識別する、反復モジュールをさらに備える、請求項２６に記載の装置。
【請求項２９】
前記送信固有変数が、前記ダウンリンク送信に関連する冗長バージョンを備える、請求項２８に記載の装置。
【請求項３０】
前記複数のデータ信号のうち、前記ターゲットＳＮＲレベルを満たすのに十分である数のデータ信号を組み合わせるように前記分析モジュールに命令する電力推定モジュールをさらに備える、請求項２４に記載の装置。
【請求項３１】
ハイブリッド自動再送要求プロセス（ＨＡＲＱプロセス）の信号タイムスロット上でデータ送信を受信する手段と、
前記ＨＡＲＱプロセスの後続の信号タイムスロット上で後続のデータ送信を受信する手段と、
前記データ送信に応答してフィードバック信号を送信するより前に前記データ送信と前記後続のデータ送信との組合せを復号する手段と、
前記ＨＡＲＱプロセスのためのデータ送信の復号を管理する制御チャネル信号を取得する手段と、
前記制御チャネル信号の送信時間間隔持続時間（ＴＴＩ持続時間）を指定または暗示するネットワーク命令を受信する手段と、
を備える、ワイヤレス通信のために構成された装置。
【請求項３２】
ハイブリッド自動再送要求プロセス（ＨＡＲＱプロセス）の信号タイムスロット上でデータ送信を受信するための第１のモジュールと、
前記ＨＡＲＱプロセスの後続の信号タイムスロット上で後続のデータ送信を受信するための第２のモジュールと、
前記データ送信に応答してフィードバック信号を送信するより前に前記データ送信と前記後続のデータ送信との組合せを復号するための第３のモジュールと、
前記ＨＡＲＱプロセスのためのデータ送信の復号を管理する制御チャネル信号を取得する第４のモジュールと、
前記制御チャネル信号の送信時間間隔持続時間（ＴＴＩ持続時間）を指定または暗示するネットワーク命令を受信する第５のモジュールと、
を備える、ワイヤレス通信のために構成された少なくとも１つのプロセッサ。
【請求項３３】
ハイブリッド自動再送要求プロセス（ＨＡＲＱプロセス）の信号タイムスロット上でデータ送信を受信することをコンピュータに行わせるための第１のコードセットと、
前記ＨＡＲＱプロセスの後続の信号タイムスロット上で後続のデータ送信を受信することを前記コンピュータに行わせるための第２のコードセットと、
前記データ送信に応答してフィードバック信号を送信するより前に前記データ送信と前記後続のデータ送信との組合せを復号することを前記コンピュータに行わせるための第３のコードセットと、
前記ＨＡＲＱプロセスのためのデータ送信の復号を管理する制御チャネル信号を取得することを前記コンピュータに行わせるための第４のコードセットと、
前記制御チャネル信号の送信時間間隔持続時間（ＴＴＩ持続時間）を指定または暗示するネットワーク命令を受信することを前記コンピュータに行わせるための第５のコードセットと、
を備える、コンピュータ可読記録媒体。
【請求項３４】
ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することと、を備え、
前記データ信号または前記制御信号を送信すること及び前記再送信することは、前記ＵＥ応答時間より前にある非後続のサブフレームにおいて実行されるワイヤレス通信のための方法。
【請求項３５】
ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することであって、前記ＵＥの信号処理能力について前記ＵＥに問い合わせることと、前記信号処理能力を受信することとをさらに備える、再送信することと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することと、
を備えるワイヤレス通信のための方法。
【請求項３６】
ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することと、
前記ＵＥへの送信を管理する電力制約を識別することと、
前記ＵＥにおいて観測される有効受信エネルギーを増加させるために前記ＵＥ応答時間より前に前記電力制約以下で前記データ信号または前記制御信号を再送信することと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することと、
を備えるワイヤレス通信のための方法。
【請求項３７】
ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することと、
前記ＵＥによって送信された前記制御信号および前記データ信号に関係するＡＣＫ／ＮＡＣＫ信号に少なくとも部分的に基づいて、前記ＵＥによって観測されたダウンリンクチャネル状態を導出することと、
前記データ信号または前記制御信号を再送信することに関係するリソーススケジューリングのために前記ダウンリンクチャネル状態を採用することと、
前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することと、
を備えるワイヤレス通信のための方法。
【請求項３８】
ワイヤレス信号をユーザ機器（ＵＥ）と交換するためにワイヤレストランシーバを採用するための通信インターフェースと、
ワイヤレス通信におけるハイブリッド自動再送要求（ＨＡＲＱ）信号の低減された遅延を与えるための命令を記憶するためのメモリと、
前記命令を実装するモジュールを実行するためのデータプロセッサと
を備える、ワイヤレス通信のための装置であって、前記モジュールが、
ＨＡＲＱプロセスの制御信号またはデータ信号の再送信タイミングを確立する制御モジュールと、
前記ＨＡＲＱプロセスのための制御信号またはデータ信号を送信し、次いで前記ＨＡＲＱプロセスの最小分離時間未満中に再送信するために、前記再送信タイミングを採用する送信モジュールと、
前記ワイヤレス通信のための送信電力制約と、前記ＵＥのターゲット受信エネルギーとを識別する電力モジュールと、を備え、
前記電力モジュールが、前記制御信号または前記データ信号の受信エネルギーを前記ターゲット受信エネルギーまで増加させるのに十分な回数、前記制御信号または前記データ信号を再送信するように前記送信モジュールに命令する、装置。
【請求項３９】
前記送信モジュールは、前記ＵＥにおけるそれぞれの送信の受信エネルギーを増加させるために、前記最小分離時間内の複数の制御送信または複数のデータ送信が、再送信される信号として扱われ、組み合わせられるべきであることを示す命令を前記ＵＥに送る、請求項３８に記載の装置。
【請求項４０】
ハイブリッド自動再送要求プロセス（ＨＡＲＱプロセス）の信号タイムスロット上でデータ送信を受信することと、
前記ＨＡＲＱプロセスの後続の信号タイムスロット上で後続のデータ送信を受信することと、
前記データ送信に応答してフィードバック信号を送信するより前に前記データ送信と前記後続のデータ送信との組合せを復号することと、
前記データ送信を、前記後続のデータ送信と、または前記フィードバック信号を送信するより前に受信された追加の後続のデータ送信と、選択的に組み合わせることと、を備え、
前記データ送信を、前記後続のデータ送信と、または追加の後続のデータ送信と、選択的に組み合わせることが、前記データ送信の受信エネルギーと、前記データ送信を受信するユーザ機器（ＵＥ）の処理能力とに少なくとも部分的に基づく、ワイヤレス通信のための方法。
【請求項４１】
ハイブリッド自動再送要求プロセス（ＨＡＲＱプロセス）の信号タイムスロット上でデータ送信を受信することと、
前記ＨＡＲＱプロセスの後続の信号タイムスロット上で後続のデータ送信を受信することと、
前記データ送信に応答してフィードバック信号を送信するより前に前記データ送信と前記後続のデータ送信との組合せを復号することと、
前記後続のデータ送信が、前記データ送信のためのスケジュールされたフィードバックシグナリングより前に受信された場合、前記後続のデータ送信が前記ＨＡＲＱプロセスの再送信であると推論することと、
を備えるワイヤレス通信のための方法。
【請求項４２】
ハイブリッド自動再送要求プロセス（ＨＡＲＱプロセス）の信号タイムスロット上でデータ送信を受信することと、
前記ＨＡＲＱプロセスの後続の信号タイムスロット上で後続のデータ送信を受信することと、
前記データ送信に応答してフィードバック信号を送信するより前に前記データ送信と前記後続のデータ送信との組合せを復号することと、
前記データ送信を受信するＵＥの処理能力についての要求を受信することと、前記処理能力のメトリックで応答することとを備え、後続のデータ送信の数または前記後続のデータ送信の送信時間間隔遅延が、前記処理能力の前記メトリックに少なくとも部分的に基づく、ワイヤレス通信のための方法。
【請求項４３】
ワイヤレス信号を基地局と交換するための通信インターフェースと、
ワイヤレス通信のためのハイブリッド自動再送要求機能（ＨＡＲＱ機能）を与えるように構成された命令を記憶するためのメモリと、
前記命令を実装するためのモジュールを実行するためのデータプロセッサと
を備える、ワイヤレス通信のために構成された装置であって、前記モジュールが、
ＨＡＲＱプロセスのフィードバック応答ウィンドウ内に前記通信インターフェースによって受信された複数のデータ信号を取得するバッファモジュールと、
前記複数のデータ信号のうちの少なくとも１つの信号の受信エネルギーがターゲット信号対雑音比レベル（ターゲットＳＮＲレベル）を下回る場合、復号するために前記複数のデータ信号を組み合わせる分析モジュールと、を備える装置。
【請求項４４】
ワイヤレス信号を基地局と交換するための通信インターフェースと、
ワイヤレス通信のためのハイブリッド自動再送要求機能（ＨＡＲＱ機能）を与えるように構成された命令を記憶するためのメモリと、
前記命令を実装するためのモジュールを実行するためのデータプロセッサと
を備える、ワイヤレス通信のために構成された装置であって、前記モジュールが、
ＨＡＲＱプロセスのフィードバック応答ウィンドウ内に前記通信インターフェースによって受信された複数のデータ信号を取得するバッファモジュールと、
前記複数のデータ信号のうちの少なくとも１つの信号の受信エネルギーがターゲット信号対雑音比レベル（ターゲットＳＮＲレベル）を下回る場合、復号するために前記複数のデータ信号を組み合わせる分析モジュールと、
前記フィードバック応答ウィンドウのサイズ、または前記フィードバック応答ウィンドウ内のそれぞれのデータ信号のロケーションと比較して、前記装置の処理速度に少なくとも部分的に基づいて、復号するために前記分析モジュールによって組み合わせられる前記複数のデータ信号の数を制限する、タイミングモジュールと、を備える装置。
【請求項４５】
ワイヤレス信号を基地局と交換するための通信インターフェースと、
ワイヤレス通信のためのハイブリッド自動再送要求機能（ＨＡＲＱ機能）を与えるように構成された命令を記憶するためのメモリと、
前記命令を実装するためのモジュールを実行するためのデータプロセッサと
を備える、ワイヤレス通信のために構成された装置であって、前記モジュールが、
ＨＡＲＱプロセスのフィードバック応答ウィンドウ内に前記通信インターフェースによって受信された複数のデータ信号を取得するバッファモジュールと、
前記複数のデータ信号のうちの少なくとも１つの信号の受信エネルギーがターゲット信号対雑音比レベル（ターゲットＳＮＲレベル）を下回る場合、復号するために前記複数のデータ信号を組み合わせる分析モジュールと、
好適な数の前記複数のデータ信号の送信、またはそれぞれのデータ信号の時間ベーススケジューリングを可能にするために、前記基地局から受信した信号のエネルギー測定値と前記装置の処理速度とを前記基地局に与える同期モジュールと、を備える装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００９年６月２２日に出願された「METHODS OF SENDING DATA PACKETS WITH REDUCED FEEDBACK DELAY」と題する仮特許出願第６１／２１９，３０２号の優先権を主張する。
【０００２】
本開示は、一般にワイヤレス通信に関し、より詳細には、ワイヤレス通信のために採用される誤り訂正シグナリングのための改善に関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
ワイヤレス通信は、多くの物理現象、ならびに処理誤りならびに他の状況に基づくデータ損失を受けやすいことがある。たとえば、信号干渉、熱雑音または他の背景雑音、信号反射、散乱などは、送信信号を適切に受信しようと試みるワイヤレス受信機にとっての問題を引き起こすことがある。上記に加えて、ワイヤレス受信機における信号復号も、送信信号を介して搬送された情報のサブセットを復調または復号することができないことがある。これらの問題を訂正するために、多くの知られているワイヤレス通信の誤りを訂正または回避するための誤り訂正プロトコルが採用され得る。例としては、物理チャネルひずみを緩和する復号技法を採用すること、ひずみの小さい物理チャネルに切り替えること、未受信のまたは不適切に復号された情報のサブセットを再送信すること、予約済みワイヤレスリソースを干渉送信機と取り決めることなど、あるいはそれらの好適な組合せがあり得る。
【０００６】
ワイヤレス通信における誤り訂正のための１つの技法は、再送要求シグナリングに関与する。この機構に従って、ワイヤレス送信機が、ワイヤレス受信機に送られるべき送信をスケジュールする。ワイヤレス受信機は、適切に受信した送信に肯定応答するか、または否定応答を送るか、または不適切に受信した送信の場合はデータを送らない。不適切に受信した送信の場合、ワイヤレス送信機は、そのデータのための肯定応答が受信されるまでデータのサブセットを再送信する。この誤り訂正機構はワイヤレス通信の全体的な精度を改善するのに役立ち得るが、データの複数の送信から固有の遅延が生じることがある。したがって、誤り訂正技法から生じるオーバーヘッドを緩和するかまたは遅延を緩和しながら、ワイヤレス通信の精度を改善する必要がある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
本開示の様々な態様は、ワイヤレス通信における改善された再送要求シグナリングを提供する。たとえば、ハイブリッド自動再送要求（ＨＡＲＱ）プロトコルでは、複数の送信を別個の送信として扱うのではなく、複数の送信を組み合わせることを受信デバイスに行わせるようにして、ＨＡＲＱプロセスのために複数の送信が行われ得る。このようにして、ワイヤレス通信における最大送信電力の制約に違反することなしに、全体的な受信エネルギーを増加させるために複数の送信が採用され得る。さらに、これらの複数の送信は、従来のＨＡＲＱプロトコルにおいて最小分離時間より前にスケジュールされ得、それにより再送要求シグナリングの遅延が低減される。
【０００９】
本開示の特定の態様によれば、応答時間内に（時間Ｎにおける送信のために応答がスケジュールされる前に）受信された複数の送信がワイヤレス受信機によって組み合わせられ、フィードバック信号で肯定応答される。さらに、ワイヤレス受信機にシグナリングされる持続時間を有する１つまたは複数の制御信号が応答時間内に送られ得る。少なくとも１つの態様では、（１つまたは複数の）特定の制御送信を条件とする送信についての冗長バージョンが、知られている量または識別子に基づいて確定関数（deterministic function）から導出されるか、あるいはワイヤレス受信機に知られている暗黙的マッピング関数から導出され得る。このようにして、ワイヤレス通信の制御オーバーヘッドの量が、様々な制約に適応するようにフレキシブルに制御され得る。
【００１０】
本開示の一態様では、ワイヤレス通信のための方法が提供される。本方法は、ＨＡＲＱプロセスにおける制御信号およびデータ信号をユーザ機器（ＵＥ）に送信することを備えることができる。さらに、本方法は、ＨＡＲＱプロセスのＵＥ応答時間より前にデータ信号または制御信号をＵＥに再送信することを備えることができる。
【００１１】
本明細書で開示するさらなる態様では、ワイヤレス通信のための装置が提供される。本装置は、ワイヤレス信号をＵＥと交換するためにワイヤレストランシーバを採用するための通信インターフェースを備えることができる。さらに、本装置は、ワイヤレス通信におけるＨＡＲＱ信号の低減された遅延を与えるための命令を記憶するためのメモリと、それらの命令を実装するモジュールを実行するためのデータプロセッサとを備えることができる。詳細には、それらのモジュールは、ＨＡＲＱプロセスの制御信号またはデータ信号の再送信タイミングを確立する制御モジュールと、ＨＡＲＱプロセスのための制御信号またはデータ信号を送信し、次いでＨＡＲＱプロセスの最小分離時間未満中に再送信するために、再送信タイミングを採用する送信モジュールとを備えることができる。
【００１２】
１つまたは複数の追加の態様では、ワイヤレス通信のための装置が提供される。本装置は、ＨＡＲＱプロセスにおける制御信号およびデータ信号をＵＥに送信する手段を備えることができる。その上、本装置は、ＨＡＲＱプロセスのＵＥ応答時間より前にデータ信号または制御信号をＵＥに再送信する手段をも備えることができる。
【００１３】
別の態様によれば、ワイヤレス通信のために構成された少なくとも１つのプロセッサが開示される。（１つまたは複数の）本プロセッサは、ＨＡＲＱプロセスにおける制御信号およびデータ信号をＵＥに送信する第１のモジュールを備えることができる。さらに、（１つまたは複数の）本プロセッサは、ＨＡＲＱプロセスのＵＥ応答時間より前にデータ信号または制御信号をＵＥに再送信する第２のモジュールをも備えることができる。
【００１４】
本開示の追加の態様は、コンピュータ可読媒体を備えるコンピュータプログラム製品を提供する。コンピュータ可読媒体は、ＨＡＲＱプロセスにおける制御信号およびデータ信号をＵＥに送信することをコンピュータに行わせるための第１のコードセットを備えることができる。さらに、コンピュータ可読媒体は、ＨＡＲＱプロセスのＵＥ応答時間より前にデータ信号または制御信号をＵＥに再送信することをコンピュータに行わせるための第２のコードセットをも備えることができる。
【００１５】
上記に加えて、本開示はワイヤレス通信のための方法を提供する。本方法は、ＨＡＲＱプロセスの信号タイムスロット上でデータ送信を受信することを備えることができる。さらに、本方法は、ＨＡＲＱプロセスの後続の信号タイムスロット上で後続のデータ送信を受信することを備えることができる。本方法は、データ送信に応答してフィードバック信号を送信するより前にデータ送信と後続のデータ送信との組合せを復号することをも備えることができる。
【００１６】
本開示の少なくとも１つの追加の態様では、ワイヤレス通信のための装置が提供される。本装置は、ワイヤレス信号を基地局と交換するための通信インターフェースを備えることができる。さらに、本装置は、ワイヤレス通信のためのＨＡＲＱ機能を与えるように構成された命令を記憶するためのメモリと、それらの命令を実装するためのモジュールを実行するためのデータプロセッサとを備えることができる。詳細には、それらのモジュールは、ＨＡＲＱプロセスのフィードバック応答ウィンドウ内に通信インターフェースによって受信された複数のデータ信号を取得するバッファモジュールを備えることができる。さらに、それらのモジュールは、複数のデータ信号のうちの少なくとも１つの信号の受信エネルギーがターゲット信号対雑音比レベル（ターゲットＳＮＲレベル）を下回る場合、通信インターフェースにおいて復号するために複数のデータ信号を組み合わせる分析モジュールをも備えることができる。
【００１７】
本明細書で開示するさらに他の態様では、本開示はワイヤレス通信のための装置を提供する。本装置は、ＨＡＲＱプロセスの信号タイムスロット上でデータ送信を受信するための手段を備えることができる。さらに、本装置は、ＨＡＲＱプロセスの後続の信号タイムスロット上で後続のデータ送信を受信するための手段を備えることができる。上記に加えて、本装置は、データ送信に応答してフィードバック信号を送信するより前にデータ送信と後続のデータ送信との組合せを復号するための手段を備えることができる。
【００１８】
別の態様では、ワイヤレス通信のために構成された少なくとも１つのプロセッサが開示される。（１つまたは複数の）本プロセッサは、ＨＡＲＱプロセスの信号タイムスロット上でデータ送信を受信するための第１のモジュールを備えることができる。さらに、（１つまたは複数の）本プロセッサは、ＨＡＲＱプロセスの後続の信号タイムスロット上で後続のデータ送信を受信するための第２のモジュールを備えることができる。その上、（１つまたは複数の）本プロセッサは、データ送信に応答してフィードバック信号を送信するより前にデータ送信と後続のデータ送信との組合せを復号するための第３のモジュールを備えることができる。
【００１９】
本開示の少なくとも１つの他の態様では、コンピュータ可読媒体を備えるコンピュータプログラム製品が提供される。コンピュータ可読媒体は、ＨＡＲＱプロセスの信号タイムスロット上でデータ送信を受信することをコンピュータに行わせるための第１のコードセットを備えることができる。さらに、コンピュータ可読媒体は、ＨＡＲＱプロセスの後続の信号タイムスロット上で後続のデータ送信を受信することをコンピュータに行わせるための第２のコードセットを備えることができる。上記に加えて、コンピュータ可読媒体は、データ送信に応答してフィードバック信号を送信するより前にデータ送信と後続のデータ送信との組合せを復号することをコンピュータに行わせるための第３のコードセットを備えることができる。
【００２０】
上記および関係する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【図面の簡単な説明】
【００２１】
【図１】開示する態様による、ワイヤレス通信のための誤り制御シグナリングを与える例示的な装置のブロック図。
【図２】ワイヤレス通信のためのハイブリッド自動再送要求（ＨＡＲＱ）機能を与える例示的な装置のブロック図。
【図３】本明細書で開示する様々な態様を示す例示的なワイヤレス信号図のブロック図。
【図４】特定の開示する態様による、複数のワイヤレス信号についての例示的な受信電力図のブロック図。
【図５】ワイヤレス通信のための改善されたフィードバックシグナリングを与える例示的な装置のブロック図。
【図６】１つまたは複数の開示する態様による例示的な基地局のブロック図。
【図７】本開示のさらなる態様による例示的なユーザ機器のブロック図。
【図８】開示する態様による、ワイヤレス通信における改善されたフィードバックシグナリングを可能にするための例示的な方法のフローチャート。
【図９】特定の態様による、ＨＡＲＱ通信における遅延を低減するための例示的な方法のフローチャート。
【図１０】本開示の態様による、ワイヤレス通信における誤り訂正を行うための例示的な方法のフローチャート。
【図１１】特定の態様による、ＨＡＲＱシグナリングの低減された遅延を与える例示的な方法のフローチャート。
【図１２】ワイヤレス通信における誤り訂正のために構成された例示的な電子装置のブロック図。
【図１３】ワイヤレス通信における低減されたフィードバック遅延のための例示的な電子装置のブロック図。
【図１４】本開示の様々な態様を可能にするための例示的なワイヤレス通信システムのブロック図。
【図１５】いくつかの開示する態様によるワイヤレス通信を可能にする例示的なワイヤレス送信受信チェーンのブロック図。
【図１６】ネットワーク環境内のアクセスポイント基地局の展開を可能にするための例示的な通信システムのブロック図。
【発明を実施するための形態】
【００２２】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００２３】
さらに、本開示の様々な態様について以下で説明する。本明細書の教示は多種多様な形態で実施され得、本明細書で開示する特定の構造および／または機能は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し、および／または方法を実施することができる。さらに、本明細書に記載の態様のうちの１つまたは複数に加えて、あるいはそれら以外に、他の構造および／または機能を使用して装置を実装し、および／または方法を実施することができる。一例として、本明細書で説明する方法、デバイス、システムおよび装置の多くについて、特に、ワイヤレス通信における自動再送要求（ＡＲＱ）およびハイブリッドＡＲＱ（ＨＡＲＱ）シグナリングの低減された遅延を与えることに関して説明する。同様の技法が他の通信環境に適用され得ることを、当業者なら諒解されよう。
【００２４】
従来のＡＲＱシグナリングは、ワイヤレス通信の信頼性を増加させることと、ワイヤレス通信のデータ損失を低減することとを行うために採用されるプロトコルに関する。ＡＲＱシグナリングでは、アップリンクであろうとダウンリンクであろうと、ワイヤレス送信機によって送られたデータ送信は、肯定応答（ＡＣＫ）およびタイムアウト期間とリンクされる。このコンテキストでは、ＡＣＫは、データ送信のデータフレームまたはデータパケットがワイヤレス受信機によって適切に受信され、復号されたことを示す、ワイヤレス受信機によって送られたメッセージである。タイムアウト期間は、送信機がデータ送信を開始することと、そのデータ送信に応答して受信機がフィードバック信号（たとえば、ＡＣＫまたはＮＡＣＫ）を開始することとの間の（しばしば、信号サブフレーム、信号サブスロット、またはワイヤレスチャネルの他の好適な時間ベースの下位区分で測定される）時間期間である。送信機が指定されたタイムアウト期間内にデータ送信に応答してＡＣＫを受信しなかった場合、ワイヤレス送信機は概してデータ送信を（１つまたは複数の別個の信号とともに）再送信する。対照的に、ＡＣＫがタイムアウト期間内に受信された場合、ワイヤレストランシーバは、先へ進んで異なるデータ送信をスケジュールすることができる。場合によっては、ワイヤレス受信機は、データパケットまたはデータパケットのサブセットをワイヤレス送信機に再送信させるために、データパケットまたはデータパケットのサブセットが適切に受信されていないことを示す否定応答（ＮＡＣＫ）を送信することができる。
【００２５】
従来のＨＡＲＱシグナリングは、ＡＲＱシグナリングと同様であるが、あるタイプのＨＡＲＱプロトコル（たとえば、Ｔｙｐｅ  Ｉ  ＨＡＲＱ、Ｔｙｐｅ  ＩＩ  ＨＡＲＱ）について規定された条件下で、データ送信に前方誤り訂正データを追加することができる。前方誤り訂正データは、信号再送信をより少なくして、または信号再送信をまったくなくして、復号誤りを訂正するために、受信機によって採用され得る。前方誤り訂正データが、信号を適切に復号するには不十分である場合、受信機は、データ送信（またはデータ送信のサブセット）を送信機に再送信させるために、ＮＡＣＫを送るか、またはＡＣＫを送ることを控えることができる。
【００２６】
ＨＡＲＱ誤り訂正を実装するための１つのコモンモードは、ストップアンドウェイトモード（ＳＡＷモード）と呼ばれる。ＳＡＷモードに従って、送信機は、信号を送り、次いで、後続の信号を送信する前に、信号に応答したフィードバック信号（たとえば、ＡＣＫ）を待つ。ＳＡＷモードの特性としては、誤り率およびパケット損失が極めて低いが、データレートが低くなるということがある。データパケットは、適切に受信され、肯定応答されるまで再送信されるので、パケット損失は極めて微少である。しかしながら、前の信号が処理されるまで後続の信号はキューイングされるので、特に高い干渉を観測している低品質ワイヤレスチャネルの場合、データパケットのグループの送信のレートは比較的遅い。
【００２７】
ＳＡＷモードＨＡＲＱ誤り訂正の変形体は、複数のＨＡＲＱ  ＳＡＷモード、または並行して採用される複数のＨＡＲＱプロセスを採用する。本明細書で利用するＨＡＲＱプロセスは、少なくとも１つの他のＳＡＷモードとともに実装される単一のＳＡＷモードである（たとえば、第３世代パートナーシッププロジェクトロングタームエボリューション［３ＧＰＰ  ＬＴＥ］は、最大８つのＨＡＲＱプロセスを採用する）。ＨＡＲＱプロセスは、概して、送信ウィンドウと応答時間と、必要な場合は１つまたは複数の再送信ウィンドウとによって特徴づけられる。送信ウィンドウは、時間単位のサイズ（たとえば、１ミリ秒、８ミリ秒、または任意の他の好適な時間量）、または代替的にデータ量単位のサイズ（たとえば、１２８バイト、５１２バイト、３２キロバイトなど）を有する。いくつかの通信システムでは、送信ウィンドウは固定サイズとすることができるが、他の通信システムでは、送信ウィンドウは可変サイズとすることができる（たとえば、ネットワークエンティティによって、またはクライアントデバイスによって指定され、また、トラフィックタイプ、アプリケーション要件または仕様、手動データ入力、ターゲットデータレート、ターゲット帯域幅、ターゲットサービス品質、優勢な干渉、信号対雑音比［ＳＮＲ］などを含む様々な動的ファクタ、あるいはワイヤレスセルの特性、周囲地理の特性などの静的ファクタに基づくことができる）。本明細書で利用する送信時間間隔（ＴＴＩ）は、時間単位で測定される送信ウィンドウを指すが、本開示はそのように限定されず、必要に応じて、時間単位で測定されるＴＴＩとデータ単位で測定されるＴＴＩが交換され得ることを諒解されたい。
【００２８】
応答時間は、概して、（最初の送信がＨＡＲＱプロセスの再送信でない場合は）信号の最初の送信後の固定数のＴＴＩであるが、固定数の他の信号時間区分（たとえば、サブフレーム、サブスロット）または他の好適な時間メトリック（たとえば、ミリ秒、マイクロ秒など）をも含むことができる。したがって、説明のための一例として、最初の送信がＴＴＩ  Ｎ（Ｎは非負整数）において送られる場合、応答時間５は、最初の送信に応答してフィードバック信号が５つの後続のＴＴＩ後に送られること、または連続的に番号付けされたＴＴＩを仮定するとＴＴＩ  Ｎ＋５において送られることを暗示する。したがって、複数ＳＡＷモードでは、送信機は、最初の送信のＴＴＩ＋応答時間によって定義される時点において、特定のＨＡＲＱプロセスにおける送信に応答してフィードバック信号を受信することを予想することができる。フィードバック信号が、予想される応答時間において受信されなかった場合（またはＮＡＣＫが受信された場合）、送信または送信のサブセットは、１つまたは複数の再送信ウィンドウにおいて再送信され、その再送信ウィンドウは、応答時間後の固定時間、または応答時間後の可変時間とすることができる。（さらに、１つまたは複数の再送信ウィンドウは、異なる周波数リソースまたは異なる信号次元上の再送信ウィンドウとすることができる）。
【００２９】
最初の信号に関連する再送信される信号が固定信号リソース（たとえば、固定時間周波数リソース、固定変調／拡散／スクランブル符号、固定数の多入力多出力［ＭＩＭＯ］ストリームなど）上で発生する場合、これらの信号に割り当てられるＨＡＲＱプロセスには追加の制御シグナリングが必要ない。したがって、固定再送信は、ＨＡＲＱプロセスの制御オーバーヘッドを最小限に抑える。しかしながら、再送信のために可変信号リソースを採用するシステムは、ユーザ機器のセット（ＵＥのセット）に関して、より大きいフレキシビリティをもたらし、しばしば、改善されたデータレート、干渉緩和などをもたらすことができる。この場合、固定信号リソース上にない再送信をどのように受信し、復号すべきかを受信機に命令するために、追加の制御信号が採用され得る。これらの追加の制御信号は、ＨＡＲＱプロセスの識別子を含むことができ、これにより、受信機は、追加の制御信号中に含まれる命令を最初の信号の再送信に適用することが可能になる。
【００３０】
場合によっては、ＨＡＲＱプロセスにおける再送信は、最初の信号の完全な再送信、またはインクリメンタル再送信（incremental re-transmission）とすることができる。前者の場合、最初の信号は、ＡＣＫが受信機から受信されるまで、固定または可変再送信ウィンドウにおいて単に繰り返される。後者の場合、最初の信号のサブセットが、それぞれのサブセットの冗長バージョンによって定義されるシーケンスにおいて送られる。インクリメンタル再送信は、インクリメンタル冗長と呼ばれ、いくつかのワイヤレス状態において、特に、最初の信号の一部分が受信機において不適切に復号され、最初の信号を適切に復号するために最初の信号のすべてのサブセットよりも少ないサブセットが受信機によって必要とされるとき、再送信オーバーヘッドを低減することができる。インクリメンタル冗長再送信の場合、送信機は、最初の信号の第１のサブセットを再送し、そのＨＡＲＱプロセスにおける受信機からの応答を待つ。受信機が第１のサブセット後に最初の信号の適切な受信と復号とを確認した場合は、ＨＡＲＱプロセスは別の最初の送信に進むことができる。他の場合は、最初の信号の第２のサブセットが送信機によって送信され、送信機は、適切な受信を示すフィードバック信号が取得されるまで、ＨＡＲＱプロセスにおける応答を待ち、以下同様である。
【００３１】
概してワイヤレス通信システムでは、ＨＡＲＱプロセスにおける最初のデータ信号とともに制御信号が送信される。ユーザ機器（ＵＥ）は、制御信号を受信し、復号して、特定の信号タイムスロットが、ＵＥに関係するデータ信号を含むかどうか、データ信号がどの信号リソース上で送信されるか、およびデータ信号をどのように復号すべきかを判断する。様々なＨＡＲＱ実装形態では、送信機が、各個のＨＡＲＱプロセスにおける２つの送信間の最小分離時間によって制約され得、これにより、個々のＨＡＲＱプロセスにおける再送信が実装され得る前に複数の他のＨＡＲＱプロセスにおける送信を完了することがしばしば必要となる。この遅延は、たとえば、最初の信号が低いＳＮＲで受信された場合、セル境界のエッジにある受信デバイスに対して悪化し得る。これは、特に、送信機が最大送信電力に制約され、受信機におけるターゲットＳＮＲを達成することが最初の信号の複数の再送信を必要とする場合、復号可能な信号を配信する際に著しい遅延をもたらすことがある。
【００３２】
次に図を参照すると、図１は、本開示の態様による、ワイヤレス通信のための誤り訂正を行う例示的なワイヤレス通信装置１００のブロック図を示している。詳細には、ワイヤレス通信装置１００は、ワイヤレスネットワーク（図示せず）へのワイヤレスアクセスポイントとして働くように構成された、ワイヤレスネットワークに関連する基地局１０２を備える。さらに、基地局１０２は、基地局１０２とユーザ機器（ＵＥ、図示せず）との間のワイヤレス通信のパケット損失を緩和するように構成された誤り制御装置１０４に結合される。本開示の特定の態様によれば、誤り制御装置１０４は、従来の自動再送要求（ＡＲＱ）またはハイブリッドＡＲＱ（ＨＡＲＱ）プロトコルと比較して、ＡＲＱまたはＨＡＲＱシグナリングにおける遅延を緩和することができる。
【００３３】
ＨＡＲＱシグナリングは、ワイヤレス通信における送信または受信誤りを制御するための機構を与える。ＨＡＲＱは、異なるワイヤレスシステムプロトコルに対して採用され得るが、基本機能は、上記および本明細書の他の場所で説明するように、損失したデータを送信デバイスが再送信するのを支援するために、ワイヤレス送信に応答して肯定応答（ＡＣＫ）または否定応答（ＮＡＣＫ）通信を送ることを含む。ダウンリンク上で、基地局１０２は、基地局１０２にワイヤレス結合されたＵＥ（図示せず）に最初の信号を送信する。本開示のいくつかの態様によれば、基地局１０２は、各別個のＨＡＲＱプロセスの応答時間内に単一の最初の信号のみをＵＥに送信する。これらの態様では、基地局１０２が応答時間内にフィードバック信号を取得しなかった場合、最初の信号は基地局１０２によって再送信される。これらの態様では、基地局１０２は、応答時間に関連する再送信遅延を犠牲にして、ＵＥとのワイヤレス通信のための高い信頼性を与えることができる。これにより、高パケット損失環境では、または最初の信号を復号するのに適した受信エネルギーをＵＥが観測するために、最初の信号の複数の送信が必要とされる場合は（たとえば、電力制約がＨＡＲＱプロセスの送信を管理する場合は）、データレートが著しく低下することがある。
【００３４】
フィードバックシグナリング遅延（たとえば、ＨＡＲＱまたはＡＲＱ最小送信遅延）に関与する問題を緩和するために、基地局１０２は、ＨＡＲＱプロセスの応答時間内に信号の複数の送信を行う誤り制御装置１０４に結合される。本明細書で利用するＨＡＲＱプロセスの応答時間は、ワイヤレス信号を開始することと、受信デバイスがワイヤレス信号に対する応答を送る（または不連続送信システムの場合は応答しない）ようにスケジュールされた時間との間の時間量として定義される。そのような応答時間内の複数の信号送信により、受信デバイスは、単一の応答時間の満了の前に、複数の送信を組み合わせ、ＳＮＲを増加させることが可能になることがある。さらに、応答時間内に信号を送信および再送信することによって、その信号のために単一のアップリンク応答が送られ得、アップリンクフィードバックチャネルの最小オーバーヘッドが維持される。さらに、以下でより詳細に説明するように、応答時間内の複数の送信を制御するための様々な機構が与えられる。本開示の様々な態様として、従来の誤り訂正技法に関連する遅延を低減しながら、ワイヤレス通信において改善された精度が与えられ得る。
【００３５】
誤り制御装置１０４は、ワイヤレス信号をＵＥと交換するために（たとえば、基地局１０２の）ワイヤレストランシーバを採用するように構成された通信インターフェース１０６を備える。さらに、誤り制御装置１０４は、ワイヤレス通信における誤り制御信号（たとえば、ＨＡＲＱ信号、ＡＲＱ信号など）の低減された遅延を与えるための誤り制御プロトコル１１４を記憶するためのメモリ１０８と、誤り制御プロトコル１１４を実装するモジュールを実行するためのデータプロセッサ１１０とを備える。詳細には、誤り制御装置１０４は、ＨＡＲＱプロセスの制御信号またはデータ信号の再送信タイミングを確立する制御モジュールを備えることができる。さらに、誤り制御装置１０４は、ＨＡＲＱプロセスのための制御信号またはデータ信号を送信し、次いでＨＡＲＱプロセスの最小分離時間未満中に再送信するために、再送信タイミングを採用する送信モジュール１１６を備えることができる。送信および再送信は、たとえば、個々の信号の電力制約を超えることなしにターゲットＳＮＲレベルを達成するために、最小分離時間内にＵＥにおける受信電力を増加させることができる。少なくとも１つの態様では、送信モジュール１１６は、最小分離時間内に制御信号またはデータ信号を複数回再送信して、そのような信号のターゲットＳＮＲレベルをさらに増加させることができる。
【００３６】
本開示の一態様では、最小分離時間は、ＨＡＲＱプロセスにおけるダウンリンク送信を開始することと、ＵＥによるアップリンクＡＣＫまたはＮＡＣＫ送信の開始との間の応答期間を定義する応答時間である。別の例では、最小分離時間は、応答時間の２倍、応答時間の３倍など、応答時間の倍数である。様々なファクタに応じて、送信モジュール１１６は、連続サブフレームまたは非連続サブフレームにおいて制御信号またはデータ信号の送信および再送信を確立することができる。そのようなファクタは、ＵＥの処理速度、最小分離時間に対して確立されたＴＴＩの数などを含むことができる。制御信号は、これらのＴＴＩのうちの１つまたは複数についての復号情報、または最小分離時間外のＨＡＲＱプロセスの後続のＴＴＩについての復号情報を含むことができることを諒解されたい。したがって、本開示の少なくともいくつかの態様では、送信モジュール１１６は、さらに、制御信号が有効であるＴＴＩの持続時間をＵＥに送信する。この場合、制御モジュール１１２は、ＴＴＩの持続時間をＵＥに搬送するための１つまたは複数の機構を指定することができる。１つの特定の例では、制御モジュール１１２は、ＴＴＩの持続時間をＵＥに送信するために、システム情報ブロック（ＳＩＢ）送信、無線リソース制御（ＲＲＣ）送信または物理ダウンリンク制御チャネル（ＰＤＣＣＨ）送信を確立し、この送信は次いで送信モジュール１１６によって採用される。ただし、様々なワイヤレス通信システムに対して他のブロードキャストチャネルまたはユニキャストチャネルが採用され得ることを諒解されたい。
【００３７】
本開示のさらなる態様によれば、制御信号またはデータ信号の再送信は、同時（たとえば、信号全体の単一の再送信）またはインクリメンタルであり得る。後者の場合、制御モジュール１１２は、ＴＴＩの持続時間内のそれぞれのＴＴＩについて冗長バージョン（ＲＶ）を指定するためのマッピング関数を採用する。このようにして、インクリメンタル送信は、それぞれのＲＶによって異なるＴＴＩとリンクされ得る。マッピング関数は、様々な好適な方法でそれぞれのＴＴＩについてＲＶを指定することができる。一例では、制御モジュール１１２は、ＲＶと、ＵＥの識別子、セル識別子またはサブフレーム番号、または同様の確定量、あるいはそれらの好適な組合せとの間の確定関係を確立する。この確定関係は、ＴＴＩの持続時間内のそれぞれのＴＴＩについて確立され得る。別の例では、制御モジュール１１２は、それぞれのＲＶとＴＴＩとを明示的に関連付ける独立した制御メッセージを生成することができ、またはそのような関連付けは、上記の送信モジュール１１６によって送られる最初の制御信号中に含まれ得る。
【００３８】
制御信号はＴＴＩの持続時間についての情報を含むことができるが、ＴＴＩのこの持続時間内に基地局１０２によって追加の制御シグナリングも実行され得る。この場合、送信モジュール１１６は、ＴＴＩの持続時間内に第２の制御信号のペイロードを送る。第２の制御信号は、制御信号もしくはデータ信号またはそれらの再送信に、ＨＡＲＱプロセスにおける他の制御信号もしくはデータ信号に、あるいは基地局１０２とＵＥとの間のワイヤレス通信において採用される別のＨＡＲＱプロセスの制御信号もしくはデータ信号に、適用可能であることがある。ＴＴＩの特定の持続時間内に送信される制御信号の数は、制御オーバーヘッド制約に基づいて制限されるか、または誤り制御プロトコル１１４中で定義される制御オーバーヘッド選好に影響を及ぼす変動する状況（たとえば、セル負荷、セル間干渉など）に基づいて動的に構成され得る。
【００３９】
図２に、本開示の追加の態様による誤り制御装置２００を示す。誤り制御装置２００は、本開示のいくつかの態様では誤り制御装置１０４と実質的に同様とすることができるが、本開示はそのように限定されない。たとえば、誤り制御装置２００は、誤り制御装置２００の一部または全部の機能、ならびに以下で説明する追加の機能、あるいはそれらの好適な組合せを備えることができる。様々な実装形態では、誤り制御装置２００は、ＨＡＲＱプロセスの単一の応答時間内に１つまたは複数の信号再送信を実行することによって、ワイヤレス通信における誤り制御シグナリングの低減された遅延を達成することができる。これらの再送信は、信号再送信間のいくつかのＴＴＩの従来の遅延を緩和しながら、そのＨＡＲＱプロセスの制御オーバーヘッドを潜在的に低減し、受信デバイスにおける増加したＳＮＲレベルを達成することができる。
【００４０】
図示のように、誤り制御装置２００は、ワイヤレス信号をＵＥと交換するための通信インターフェース２０２を備えることができる。一態様では、通信インターフェース２０２はワイヤレストランシーバデバイスを備え、別の態様では、通信インターフェース２０２は、ワイヤレス信号を交換するために基地局（図示せず）のワイヤレストランシーバを代わりに採用する。さらに、誤り制御装置２００は、誤り制御シグナリングを行うように構成されたモジュールまたは命令を記憶するためのメモリ２０４と、それらのモジュールを実装するためのデータプロセッサ２０６とを備えることができる。
【００４１】
詳細には、誤り制御装置２００は、ＨＡＲＱプロセスの制御信号またはデータ信号の再送信タイミングを確立する制御モジュール２０８を備えることができる。再送信タイミングはＴＴＩの数で測定され得るが、本開示はそのように限定されない。ＨＡＲＱ誤り制御シグナリングの一例では、制御モジュール２０８は、メモリ２０４に記憶されたＨＡＲＱプロトコル２１０を採用し、信号の送信と、その信号に対するスケジュールされたＡＣＫ／ＮＡＣＫ応答との間のＴＴＩの数（たとえば、ＨＡＲＱプロセスの単一の応答時間内のＴＴＩの数。以下の図３および図４を参照）を識別する。この例では、ＴＴＩの数がＸであり、Ｘが０よりも大きい正整数であると仮定する（たとえば、３ＧＰＰ  ＬＴＥリリース８では、応答時間はＸ＝４ＴＴＩを含み、ＨＡＲＱプロセスにおける最小送信時間は８ＴＴＩである）。したがって、制御モジュール２０８は、信号の送信と再送信との間に０〜Ｘ−１個のＴＴＩを確立する。０個のＴＴＩの場合、信号が送信され、後続のＴＴＩにおいて再送信される。１つのＴＴＩが選択された場合、第１のＴＴＩにおいて信号が送信され、その後に、ＨＡＲＱプロセスのための送信なしのＴＴＩが続き、ＨＡＲＱプロセスの第３のＴＴＩにおいて再送信が行われ、以下同様である。再送信時間の選択は様々なファクタに基づくことができ、それらのファクタは、受信機におけるターゲットＳＮＲレベルを満たすために必要とされる再送信の数、受信デバイスの処理速度、ＨＡＲＱプロセスの応答時間のＴＴＩの総数、Ｘなど、またはそれらの好適な組合せを含むことができる。
【００４２】
再送信時間を判断するためのＵＥ固有情報を取得するために、誤り制御装置２００は、受信デバイスによって与えられるダウンリンク信号測定値を分析することができる。たとえば、誤り制御装置２００（または誤り制御装置２００に結合された基地局）から受信した信号の測定された受信エネルギーは、ワイヤレス通信プロトコルに従って受信デバイスによって送信され得る。受信デバイスとのワイヤレス通信のための送信電力制約と、ＵＥのターゲット受信エネルギーとを識別する電力モジュール２１４が採用され得る。この測定された受信エネルギーはターゲット受信エネルギーと比較され得、これにより、電力モジュール２１４は、送信電力制約と矛盾しないターゲット受信エネルギーを達成するために必要とされる送信の数を判断することが可能になる（たとえば、以下の図４を参照）。この場合、電力モジュール２１４は、信号の受信エネルギーをターゲット受信エネルギーまで増加させるのに十分な回数、信号を再送信するように送信モジュール２１２に命令する。代替的に、または追加として、問合せモジュール２１６が、測定された受信エネルギーについて受信デバイスに問い合わせるために採用され得、受信デバイスは、それに応答して、測定された受信エネルギーを送信する。さらに、問合せモジュール２１６は、受信デバイスの処理能力（たとえば、処理速度、または同様の特性）について受信デバイスに問い合わせるために採用され得る。この処理速度は、ターゲット受信エネルギーを達成するために必要とされる送信の数と、上記で説明した、好適な再送信時間を判断するための、ＨＡＲＱプロセス応答時間におけるＴＴＩの数とに関連して利用され得る。
【００４３】
誤り制御装置２００は、特に単一のＨＡＲＱプロセスの応答時間内に複数の送信を処理するように構成されたＵＥに加えて、レガシーＵＥに対して採用され得ることを諒解されたい。前者の場合、たとえば、送信モジュール２１２は、ＨＡＲＱプロセスの最小分離時間内に受信された複数の制御送信またはデータ送信が、それぞれ、再送信される信号として扱われるべきであることを示す命令をレガシーＵＥに送る。したがって、これらの信号は、それぞれの送信の受信エネルギーを増加させるためにレガシーＵＥによって組み合わせられる。
【００４４】
本明細書で説明するように、信号の再送信は、単一のＴＴＩにおいて送信され、受信デバイスにおいて組み合わせられ得、または再送信される信号のサブセットはインクリメンタル冗長ポリシーに従って（再送信タイミングごとに）別個のＴＴＩにおいて送られ得る。再送信される信号のそれぞれのサブセットは、再送信される信号のそれぞれのサブセットを識別するＲＶインジケータを含むことができる。ＲＶインジケータに必要なビット数を低減するために、メモリ２０４に記憶されたＲＶマッピング２１８に基づいてマッピング関数が採用され得る。ＲＶマッピング２１８は、ＴＴＩごとに２つのインジケータを暗示するために、サブセットが送信されるＴＴＩに関連して単一ビットを備えることができる。別の例では、ＲＶマッピング２１８は、受信デバイスに知られている量（たとえば、セル識別子、ＵＥ識別子、サブセットが送信されるサブフレームまたはＴＴＩ番号など）と、サブセットについてのＲＶを識別するためにサブセット送信とともに送信される１つまたは複数のビット値との間の確定関係を与えることができる。ワイヤレス通信の当業者によって知られている他のマッピング機構も採用され得る。
【００４５】
図３に、本開示の様々な態様による、ＨＡＲＱシグナリングのために構成された例示的なワイヤレスチャネル３００の図を示す。ワイヤレスチャネル３００は、水平軸に沿って時間次元でサブフレームのセットを備える。水平軸の左側には、Ｎ番目のサブフレーム、ＳＦNがあり、Ｎは非負整数であり、その後にＳＢN+1、ＳＢN+2などが続き、水平軸の右側にあるＳＢN+Xまで続き、Ｘは、図示された例では４よりも大きい整数である。
【００４６】
ワイヤレスチャネル３００は、誤り訂正のためのＨＡＲＱ誤りシグナリングと、フィードバックシグナリングとを採用する。このコンテキストでは、各サブフレームは別個のＨＡＲＱプロセスのＴＴＩであるが、ＴＴＩは、様々な可能な実装形態では、代わりに、サブフレームの一部分にすぎないかまたは複数のサブフレームであることがある。また、この例は、各々が１サブフレームのＴＴＩ持続時間を有する、合計８つの独立したＨＡＲＱプロセスを備え、各ＨＡＲＱプロセスについてのフィードバックスケジューリングは、そのＨＡＲＱプロセスの４サブフレーム後にスケジュールされている。詳細には、ＳＦNは制御送信（網状線塗りつぶし）とデータ送信（平行線塗りつぶし）とを備える。以下の例ではこのデータ送信がダウンリンク送信であると仮定するが、ワイヤレスチャネル３００は、データ送信がアップリンク上で送られ、制御送信がそれぞれのデータ送信より前にダウンリンク上で送信される制御許可である、アップリンクデータ送信およびダウンリンクフィードバック（たとえば、ＡＣＫ、ＮＡＣＫ、不連続送信など）のために構成され得ることを諒解されたい。特定の送信のためのフィードバックシグナリングは、その送信の４サブフレーム後にスケジュールされている。このダウンリンクの例では、ＳＦNにおいて送られる制御送信およびデータ送信は、ＳＦN+4においてスケジュールされているフィードバック信号に対応する。
【００４７】
従来のＡＲＱおよびＨＡＲＱ実装形態では、ＳＦNにおける送信が後続のサブフレーム（たとえば、ＳＦN+4）においてＡＣＫされるようにスケジュールされ、その送信の再送信が上記後続のサブフレームに続く。これは、所与のＨＡＲＱプロセスにおける２つの送信間の最小分離時間と呼ばれる、信号を送信および再送信する際の固有の遅延をもたらす。詳細には、最小分離時間は、ＳＦN+4における肯定応答とスケジュールされた再送信との間のいくつかのＴＴＩに加えて、ＳＦNにおける送信とＳＦN+4における肯定応答との間のいくつかのＴＴＩを備える。いくつかのＨＡＲＱシステムでは、最も早いスケジュールされた再送信は、（８ＴＴＩの最小分離時間の場合は）ＳＦN+8において行われるが、他のＨＡＲＱシステムは、追加の制御シグナリングに関連した動的時間ベーススケジューリングを可能にし、ＳＦN+5における再送信を可能にする。いずれの場合も、最も早い単一の再送信は、最初の送信の５ＴＴＩ後に行われ得る。複数の再送信が必要とされる場合は、単一の送信が受信デバイスによって適切に受信され、肯定応答されるために、最小分離時間の倍数が必要とされ、これにより、ＨＡＲＱプロセスにおける著しい遅延がもたらされることがある。
【００４８】
従来のシステムとは対照的に、本開示は、従来の最小分離時間より前に最初の信号の再送信を可能にする。したがって、信号が、最初に第１のＴＴＩ（たとえば、サブフレームＳＦN）において送信され、次いで第１のＴＴＩに続く次のＴＴＩ（たとえば、サブフレームＳＦN+1）において直ちに再送信され得る。さらに、信号は、最小分離時間までのどのＴＴＩにおいても再送信され得る。少なくとも１つの態様では、信号は、最初の送信のためにフィードバックがスケジュールされているＴＴＩ（たとえば、サブフレームＳＦN+4）を含まないが、そのＴＴＩまでの１つまたは複数のＴＴＩにおいて再送信される。したがって、ワイヤレスチャネル３００によって示されるように、ＳＦNにおける最初のデータ送信は、ＳＦN+1、ＳＦN+2、およびＳＦN+3、または代わりにそれらのサブフレームの好適なサブセットにおいて再送信され得る。
【００４９】
最初の信号および再送信される信号を受信するデバイスは、これらの信号を、組み合わせられ、復号されるべき単一の通信として、扱うことができる。本開示のいくつかの態様では、受信デバイスは、最小分離時間内の、またはＨＡＲＱプロセスにおけるスケジュールされたフィードバック信号より前に受信された、複数の信号を単一の通信として扱うように事前構成され得る。他の態様では、ＳＦNにおいて送られた制御送信は、単一の通信に対して送られるべき独立した送信の数、それらの独立した送信がどの時間周波数リソース上で送信されるか、およびそれらをどのように復号すべきかを指定することができる。さらに他の態様では、この情報の一部または全部は、上位レイヤシグナリングを介して、システム情報ブロック（ＳＩＢ）メッセージ中で、受信デバイスへの別の好適なユニキャストメッセージ中などで、搬送され得る。
【００５０】
ワイヤレスチャネル３００について単一の制御信号のみが示されているが、サブフレームＳＦN〜ＳＦN+3において追加の制御シグナリングが実行され得ることを諒解されたい。いくつかの態様では、追加の制御シグナリングは、ＳＦNを備えるＨＡＲＱプロセスに関することがある。他の態様では、追加の制御シグナリングは別のＨＡＲＱプロセスに関することがある。この後者の場合、追加の制御シグナリングは標準制御メッセージのペイロードのみを備えることができ、たとえば、これは、割当て許可、ダウンリンクスケジューリング、フィードバックスケジューリング、またはワイヤレス通信のための他の好適な制御シグナリングを含むことができる。さらに、ＳＦNにおいて送信された最初のデータまたは制御信号の再送信は、完全な再送信またはインクリメンタル再送信とすることができることを諒解されたい。後者の場合、本明細書で説明するように、各再送信についてＲＶが指定され得る。
【００５１】
図４に、ワイヤレスチャネル４０２と、ワイヤレスチャネル４００に対応する受信される送信についての受信電力グラフ４０４との例示的な図４００を示す。ワイヤレスチャネル４０２は、５つのサブフレームＳＦN〜ＳＦN+4を備える。さらに、ワイヤレスチャネル４０２は、ＳＦNを備える第１のＨＡＲＱプロセスにおける送信がＳＦN+4において肯定応答され、ＳＦN+1を備える第２のＨＡＲＱプロセスにおける送信がＳＦN+5（図示せず）において肯定応答され、以下同様になるように構成される。ただし、第１のＨＡＲＱプロセスの一部であり、第２のＨＡＲＱプロセスまたは後続のＨＡＲＱプロセスの一部ではない、ＳＦN+1〜ＳＦN+3における再送信は、ＳＦN+5などにおいて肯定応答されるのではなく、代わりに、第１のＨＡＲＱプロセスにおける他の送信と組み合わせられ、ＳＦN+4おいて組合せとして肯定応答されることを了解されたい。
【００５２】
受信電力グラフ４０４は、信号の１つまたは複数の送信の組合せについて、ワイヤレス受信デバイスにおける異なる受信電力の例示的な例を示している。受信電力グラフ４０４の受信電力プロットは、任意のワイヤレス受信機のための実際の定量的プロットではなく、信号の複数の送信を組み合わせることの結果としての受信電力の相対的変化を示すものであることを了解されたい。また、送信および再送信される信号は一定の送信電力で送られるが、本開示はそのように限定されないことを了解されたい。たとえば、最初の送信は第１の送信電力で送られ得、最初の信号の再送信は第２の送信電力で送られ得、以下同様である。ただし、この場合は、受信電力グラフ４０４に示される受信電力とは異なる受信電力が達成されることが予想される。
【００５３】
この例によって示されるように、一定の送信電力での単一の送信は、１メートル当たり４６デシベル（ｄＢ／ｍ）の受信電力で受信デバイスにおいて取得される。ワイヤレス受信機において組み合わせられる、同じ送信電力での２つの送信の場合、組み合わせられた信号の受信電力は、単一の信号の受信電力よりも大きく、この例では４９ｄＢ／ｍに等しい。同様に、信号の３つまたは４つの組み合わせられた送信の場合、受信電力はそれぞれ５２ｄＢ／ｍおよび５５ｄＢ／ｍである。したがって、ワイヤレスチャネル４０２および受信電力グラフ４０４は、信号を再送信することが、信号の送信電力を増加させることなしにどのように受信電力を増加させるかを示している。これは、高雑音環境（たとえば、この例では最高５２ｄＢ／ｍ）での通信を可能にし得る。さらに、この電力の増加は、連続する再送信される信号間の最小分離時間を必要とする従来の再送信技法と比較して、ほとんど遅延なしに与えられ得る。最初の信号の再送信は、最初の信号のスケジュールされたフィードバック信号より前に行われ得るので、多くの状況において、複数の信号を送ることによってワイヤレス受信機における受信電力を増加させることは、単一の信号を送ることに相当する時間において実行され得る。再送信される信号のこの低減された遅延は、ワイヤレス通信の著しい改善を達成することができる。
【００５４】
図５に、本開示のさらなる態様による例示的なワイヤレス通信システム５００のブロック図を示す。ワイヤレス通信システム５００は、ワイヤレスネットワークの基地局５０４にワイヤレス結合されたユーザ機器（ＵＥ）５０２を備えることができる。さらに、ＵＥ５０２は、以下で説明するように、基地局５０４とのワイヤレス通信のための低遅延誤り訂正プロトコルを採用するように構成されたフィードバックタイミング装置５０６に結合される。
【００５５】
フィードバックタイミング装置５０６は、ワイヤレス信号を基地局５０４と交換するための通信インターフェース５０８を備えることができる。さらに、本装置は、基地局５０４とのワイヤレス通信のための誤り制御機能（たとえば、ＡＲＱ機能、ＨＡＲＱ機能）を与えるように構成された命令を記憶するためのメモリ５１０と、それらの命令を実装するためのモジュールを実行するためのデータプロセッサ５１２とを備えることができる。これらのモジュールにより、ＵＥ５０２は、本明細書で説明するように、従来の誤り制御機能と比較して肯定応答シグナリングの遅延を低減することが可能になる。
【００５６】
様々な開示する態様によれば、通信インターフェース５０８は、ワイヤレストランシーバを備えるか、またはワイヤレス信号を基地局５０４と交換するためにＵＥ５０２のワイヤレストランシーバを採用することができる（たとえば、上記の図７を参照）。誤り訂正機能を実装するために、フィードバックタイミング装置５０６は、ＨＡＲＱプロセスのフィードバック応答ウィンドウ（たとえば、応答時間）内に通信インターフェース５０８によって受信された複数のデータ信号を取得するバッファモジュール５１４を備えることができる。詳細には、これらのデータ信号は、基地局５０４によって送られる制御信号またはデータ信号の最初の送信と少なくとも１つの再送信とを備える。フィードバック応答ウィンドウは、最初の送信を受信することと、最初の送信のためのスケジュールされた肯定応答との間の時間期間を備える。
【００５７】
メモリ５１０に記憶された誤り訂正プロトコル５１８に基づいて、復号するために複数のデータ信号を組み合わせる分析モジュール５１６が採用される。一態様では、誤り制御プロトコル５１８は、ＨＡＲＱプロセスのフィードバック応答ウィンドウ内に受信された（たとえば、それぞれの送信または再送信について異なるＲＶによって定義された）信号の再送信が単一の通信であることを指定することができる。別の態様では、分析モジュール５１６は、複数のデータ信号または複数のデータ信号の再送信の位置を特定し、それらを復号することに関する情報を含んでいる制御チャネル命令を復号する。この後者の態様では、制御チャネル命令は、復号するために組み合わせられるべきデータ信号の数をさらに指定することができる。
【００５８】
分析モジュール５１６によって組み合わせられる複数の信号は、単一の通信の有効受信エネルギーを増加させるのに役立つことがある。場合によっては、複数のデータ信号を組み合わせることは、複数のデータ信号のうちの少なくとも１つの信号の受信エネルギーがターゲットＳＮＲレベルを下回るかどうかを条件とすることがある。さらに、組み合わせられる複数のデータ信号の数は、少なくとも１つの信号がターゲットＳＮＲレベルを下回る程度を条件とすることもある。したがって、受信エネルギーとターゲットＳＮＲレベルとの間の相違が小さい場合は２つの送信が組み合わせられ得、受信エネルギーとターゲットＳＮＲレベルとの間の相違が中程度の場合は３つの送信が組み合わせられ得、以下同様である。さらに、小さい、中程度の、大きい、など、相違の程度は、特定の受信エネルギー不足量（たとえば、３ｄＢ／ｍ、６ｄＢ／ｍ、９ｄＢ／ｍなど）、または受信エネルギー不足量の範囲（たとえば、１〜３ｄＢ／ｍなど）などによって指定され得る。
【００５９】
図６に、本開示の態様のために構成された基地局６０２を備える例示的なシステム６００のブロック図を示す。たとえば、基地局６０２は、ワイヤレスネットワーク内の１つまたは複数のアクセス端末（ＡＴ）６０４（たとえば、ＵＥ）のための誤り制御シグナリングを与えるように構成され得る。少なくとも１つの例では、基地局６０２は、従来のプロトコルと比較して誤り制御シグナリングの遅延を著しく低減するように構成されたＡＲＱまたはＨＡＲＱプロトコルを採用するように構成される。この低減された遅延は、たとえば、ターゲットＳＮＲレベルを得るために再送信または複数の再送信がしばしば必要とされる、劣悪なワイヤレス状態において有意であることがある。したがって、基地局６０２は、特に劣悪なワイヤレス環境において、改善されたワイヤレス通信を与えるように構成され得る。
【００６０】
基地局６０２（たとえば、アクセスポイント、．．．）は、ＡＴ６０４のうちの１つまたは複数から１つまたは複数の受信アンテナ６０６を通してワイヤレス信号を取得する受信機６１０と、変調器６２８によって与えられた符号化／被変調ワイヤレス信号を（１つまたは複数の）ＡＴ６０４に（１つまたは複数の）送信アンテナ６０８を通して送る送信機６３０とを備えることができる。受信機６１０は、受信アンテナ６０６から情報を取得し、さらに、（１つまたは複数の）ＡＴ６０４によって送信されたアップリンクデータを受信する信号受信者（図示せず）を備えることができる。さらに、受信機６１０は、受信情報を復調する復調器６１２に動作可能に結合される。復調されたシンボルはデータプロセッサ６１４によって分析される。データプロセッサ６１４はメモリ６１６に結合され、このメモリ６１６は、基地局６０２によって提供または実装される機能に関係する情報を記憶する。一例では、記憶された情報は、信号を送ることと、それらの信号のための肯定応答を受信することとを行うための誤り制御プロトコルを備えることができる。他の態様では、記憶された情報は、ユーザ固有の情報を取得することと、（１つまたは複数の）ＡＴ６０４のうちの特定のＡＴに適応するために誤り制御プロトコルに基づいて再送信を動的にスケジュールすることとを行うためのプロトコルを備えることができる。
【００６１】
上記の誤り制御シグナリングを達成するために、基地局６０２は誤り制御装置６１８を備えることができる。誤り制御装置６１８は、誤り制御装置１０４または誤り制御装置２００と実質的に同様とすることができるが、本開示はこれらの実装形態に限定されない。動作中、誤り制御装置６１８は、（１つまたは複数の）ＡＴ６０４と通信するために基地局６０２のワイヤレス通信構成要素を採用することができる。この目的で、ＨＡＲＱプロセスの制御信号またはデータ信号の再送信タイミングを確立する制御モジュール６２０が採用され得る。制御信号またはデータ信号の再送信タイミングならびに再送信の数は、（１つまたは複数の）ＡＴ６０４のうちの１つまたは複数の処理能力に基づいて判断され得、また、電力モジュール６２６によって判断された１つまたは複数のＡＴ６０４のターゲットＳＮＲレベルと比較して測定されたＳＮＲレベル、またはＨＡＲＱプロセスの最小分離時間内で利用可能であるＴＴＩの総数など、あるいはそれらの好適な組合せに基づいて判断され得る。少なくとも１つの特定の例では、再送信タイミングは、（１つまたは複数の）ＡＴ６０４におけるターゲットＳＮＲレベルを達成するために必要とされる数の再送信される信号の組合せに基づくことができ、ＨＡＲＱプロセスの応答ウィンドウにおける総ＴＴＩ数−１に等しい最大再送信数まであり得る。したがって、応答ウィンドウにおけるＴＴＩの総数が４（最初の送信のために採用されるＴＴＩを含む）である場合、最大再送信数は３とすることができる。上記に加えて、再送信される信号の数は、場合によっては（１つまたは複数の）ＡＴ６０４の処理能力に基づいて制限され得る。したがって、（１つまたは複数の）ＡＴ６０４の処理速度が、応答時間より前のすべてのＴＴＩにおける信号の処理を可能にしない場合、（１つまたは複数の）ＡＴ６０４のための送信なしに１つまたは複数のＴＴＩがブランキングされ得る。再送信タイミングおよび再送信スケジューリングが確立されると、本明細書で説明するように、ＨＡＲＱプロセスにおける制御信号またはデータ信号を送信し、ＨＡＲＱプロセスの最小分離時間未満中に再送信するために、再送信タイミングを採用する送信モジュール６２６が実行され得る。
【００６２】
図７に、本開示の１つまたは複数の追加の態様による、ＡＴ７０２を備える例示的なワイヤレス通信システム７００のブロック図を示す。ＡＴ７０２は、ワイヤレスネットワークの１つまたは複数の基地局７０４（たとえば、（１つまたは複数の）アクセスポイント）とワイヤレス通信するように構成され得る。そのような構成に基づいて、ＡＴ７０２は、１つまたは複数の順方向リンクチャネル上では（１つまたは複数の）基地局７０４からワイヤレス信号を受信し、１つまたは複数の逆方向リンクチャネル上ではワイヤレス信号で応答することができる。さらに、ＡＴ７０２は、（１つまたは複数の）基地局７０４によって送信された信号に応答して肯定応答シグナリングを実行すること、またはＡＴ７０２によって送られたアップリンクデータ送信に関係する肯定応答シグナリングを（１つまたは複数の）基地局７０４から取得することを行うための、低遅延誤り訂正プロトコル７１４Ａを採用するための、メモリ７１４に記憶された命令を備えることができる。
【００６３】
ＡＴ７０２は、（たとえば、１つまたは複数の入出力インターフェースを備える）信号を受信する少なくとも１つのアンテナ７０６と、受信した信号に対して典型的なアクション（たとえば、フィルタ処理、増幅、ダウンコンバートなど）を実行する（１つまたは複数の）受信機７０８とを含む。一般に、アンテナ７０６および送信機７２２（トランシーバと総称される）は、（１つまたは複数の）基地局７０４とのワイヤレスデータ交換を可能にするように構成され得る。さらに、ＡＴ７０２において実行される様々なモジュールまたはアプリケーションは、トランシーバを採用して、（１つまたは複数の）基地局７０４によって送信されたデータを取得するか、または（１つまたは複数の）基地局７０４にデータを送ることができる。
【００６４】
アンテナ７０６および（１つまたは複数の）受信機７０８はまた、受信シンボルを復調し、復調されたシンボルを評価のために（１つまたは複数の）データプロセッサ７１２に供給することができる復調器７１０に結合され得る。（１つまたは複数の）データプロセッサ７１２は、ＡＴ７０２の１つまたは複数の構成要素（アンテナ７０６、受信機７０８、復調器７１０、メモリ７１４、フィードバックタイミング装置７１６、バッファモジュール７１８、分析モジュール７２０、フィードバックモジュール７２２、有効性モジュール７２４、反復モジュール７２６、電力推定モジュール７２８、タイミングモジュール７３０、同期モジュール７３２、変調器７３４、送信機７３６）を制御および／または参照することができることを諒解されたい。さらに、（１つまたは複数の）データプロセッサ７１２は、ＡＴ７０２の機能を実行することに関係する情報または制御を備える１つまたは複数のモジュール、アプリケーション、エンジンなどを実行することができる。
【００６５】
さらに、ＡＴ７０２のメモリ７１４は（１つまたは複数の）データプロセッサ７１２に動作可能に結合される。メモリ７１４は、送信、受信などすべきデータと、リモートデバイス（たとえば、（１つまたは複数の）ＢＳ７０４のうちの１つまたは複数）とのワイヤレス通信を行うのに適した命令とを記憶することができる。さらに、メモリ７１４は、（１つまたは複数の）基地局７０４によって送信されたダウンリンク信号に応答して肯定応答シグナリングを与えること、共通のＨＡＲＱプロセスにおける送信を識別すること、ターゲットＳＮＲレベルを達成するために最初の信号の１つまたは複数の再送信を最初の信号と選択的に組み合わせること、（１つまたは複数の）基地局７０４のダウンリンク送信の測定されたＳＮＲレベル、（静的処理能力、または主要なメモリ、現在実行中のアプリケーションの影響を受ける動的処理能力などを含むことができる）データプロセッサ７１２の処理能力など、再送信スケジューリングに関係する情報を与えること、または本明細書で説明する他の機能を与えることを行うために採用される（たとえば、修正ＨＡＲＱプロトコルに基づく）低遅延誤り訂正プロトコル７１４Ａを備えることができる。さらに、メモリ７１４は、インクリメンタル冗長ポリシーに基づいて、異なる再送信される信号についてのＲＶ間の相関を識別するためのＲＶマッピング７１４Ｂを備えることができる。
【００６６】
動作中、フィードバックタイミング装置７１６は、ＨＡＲＱプロセスにおける単一のフィードバック応答ウィンドウ内にそのＨＡＲＱプロセスの複数のデータ信号を取得するバッファモジュール７１８を備えることができる。少なくとも１つの態様では、フィードバック応答ウィンドウは、複数のデータ信号のうちの第１のデータ信号が送信されるＴＴＩで開始し、ＡＣＫ／ＮＡＣＫシグナリングがスケジュールされている後続のＴＴＩで終了するように定義される。分析モジュール７２０は、複数のデータ信号のサブセットを組み合わせるために採用され得る。複数のデータ信号のサブセット中に含まれる複数のデータ信号のうち、いくつのデータ信号を選択するかは、ターゲットＳＮＲレベルと比較した、上記信号のうちの少なくとも１つ（たとえば、最初の信号）の測定されたＳＮＲレベルに基づくことができる。複数のデータ信号の好適な数は、最初の信号のターゲットＳＮＲレベルを達成するように選択され得る。本開示の少なくともいくつかの態様では、ＡＴ７０２の処理制約、制御オーバーヘッドを最小限に抑えること、ＡＴ７０２のバッテリー電力制約など、またはそれらの好適な組合せなど、１つまたは複数の状況に従って、複数のデータ信号のすべてよりも少ないデータ信号が分析モジュール７２０によって組み合わせられ得る。
【００６７】
上記に加えて、フィードバックタイミング装置７１６は、複数のデータ信号に応答してＡＣＫＮＡＣＫシグナリングを実行するフィードバックモジュール７２２を備えることができる。ＡＣＫ／ＮＡＣＫシグナリングは、ＨＡＲＱプロトコル７１４Ａに従ってスケジュールされたフィードバック時間において送信される。概して、スケジュールされたフィードバック時間は、ＨＡＲＱプロセスにおける複数のデータ信号のうちの第１のデータ信号の送信後のＴＴＩのセット数である。ただし、スケジュールされたフィードバック時間は、本開示の少なくともいくつかの態様では、制御シグナリングを通して（１つまたは複数の）基地局７０４によって動的に調整され得る。
【００６８】
（１つまたは複数の）基地局７０４によって送信された複数のデータ信号を適切に受信するために、分析モジュール７２０は、複数のデータ信号または複数のデータ信号の再送信の位置を特定し、それらを復号することに関する情報を含んでいる、ＨＡＲＱプロセスのための制御チャネル命令を復号する。フィードバックタイミング装置７１６は、制御チャネル命令が有効である持続時間を識別する有効性モジュール７２４をさらに備えることができる。一例では、有効性モジュール７２４は、制御チャネル命令または関係する制御チャネル命令から持続時間を明示的に判断する。別の例では、持続時間は、無線リソース制御シグナリングから、またはシステム情報シグナリングから判断され得る。少なくとも１つの態様では、持続時間は上記の好適な組合せから判断され得る。
【００６９】
制御チャネル命令の持続時間が判断されると、確定マッピング関数（たとえば、ＲＶマッピング７１４Ｂ）から、持続時間内のダウンリンク送信のための送信固有変数を識別する、反復モジュール７２６が実行され得る。この確定マッピング関数は、（１つまたは複数の）それぞれの送信内に含まれる識別子に基づいて、それぞれの送信と最初の信号の再送信とを識別することができ、その識別子は、（１つまたは複数の）基地局７０４のうちの１つまたは複数に関連するセル識別子、ユーザ機器識別子、または制御チャネル命令のサブフレーム、あるいはそれらの好適な組合せから判断される。少なくとも１つの態様では、送信固有変数は、ダウンリンク送信に関連するＲＶを備える。
【００７０】
本開示の１つの特定の態様によれば、フィードバックタイミング装置７１６は、複数のデータ信号のうち、ターゲットＳＮＲレベルを満たすのに十分である数のデータ信号を組み合わせるように分析モジュール７２０に命令する電力推定モジュール７２８を備えることができる。代替的に、または追加として、フィードバックタイミング装置７１６は、ＡＴ７０２の処理速度に少なくとも部分的に基づいて、復号するために分析モジュール７２０によって組み合わせられる複数のデータ信号の数を制限する、タイミングモジュールを備えることができる。場合によっては、複数のデータ信号の数は、フィードバック応答ウィンドウのサイズ、またはフィードバック応答ウィンドウ内のそれぞれの信号のロケーションと比較して、処理速度に関して制限され得る。たとえば、ＡＴ７０２の処理速度が、フィードバックモジュール７２２がＡＣＫ／ＮＡＣＫシグナリングを実行するより前に少なくとも１つのＴＴＩを必要とする場合、タイミングモジュール７３０は、分析モジュール７２０によって組み合わせられる複数のデータ信号の数を、スケジュールされたＡＣＫ／ＮＡＣＫシグナリングの直前のＴＴＩを除外するように制限することができる。本開示の１つのさらなる態様によれば、フィードバックタイミング装置７１６は、好適な数の複数のデータ信号の送信、またはそれぞれのデータ信号の好適な時間ベーススケジューリング、または両方を可能にするために、電力推定モジュール７２８によって（１つまたは複数の）基地局７０４から受信した信号のエネルギー測定値と、タイミングモジュール７３０によって判断されたＡＴ７０２の処理速度とを（１つまたは複数の）基地局７０４に与える同期モジュール７３２をさらに備えることができる。
【００７１】
上述のシステムについては、いくつかの構成要素、モジュールおよび／または通信インターフェースの間の対話に関して説明した。そのようなシステムおよび構成要素／モジュール／インターフェースは、本明細書で指定された構成要素／モジュールもしくはサブモジュール、指定された構成要素／モジュールもしくはサブモジュールの一部、および／または追加のモジュールを含むことができることを諒解されたい。たとえば、システムは、フィードバックタイミング装置７１６を備えるＵＥ５０２、誤り制御装置２００を備えるＢＳ５０４、あるいはこれらまたは他のエンティティの異なる組合せを含むことができる。また、サブモジュールは、親モジュール内に含まれるのではなく、他のモジュールに通信可能に結合されたモジュールとして実装され得る。さらに、１つまたは複数のモジュールを組み合わせて、集約機能を提供する単一のモジュールにすることができることに留意されたい。たとえば、分析モジュール７２０は、単一の構成要素として、ターゲットＳＮＲレベルを達成するために、受信信号をターゲットＳＮＲレベルと比較することと、受信信号の好適な数の再送信を組み合わせることとを可能にするために、電力推定モジュール７２８を含むことができ、その逆も同様である。また、構成要素は、本明細書では具体的に説明していないが当業者に知られている１つまたは複数の他の構成要素と対話することができる。
【００７２】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイジアン信念ネットワーク、ファジィ論理、データ融合エンジン、クラシファイヤ．．．）を含むか、またはそれらからなり得る。そのような構成要素は、特に、および本明細書ですでに説明したものに加えて、システムおよび方法の部分をより適応的ならびに効率的で知的にするために、そのような構成要素によって実行されるいくつかの機構またはプロセスを自動化することができる。
【００７３】
上記で説明した例示的なシステムに鑑みて、開示する主題に従って実施され得る方法は、図８〜図１１のフローチャートを参照すればより良く諒解されよう。説明を簡単にするために、方法を一連のブロックとして図示および説明するが、いくつかのブロックは、本明細書で図示および説明するのとは異なる順序で、および／または他のブロックと同時に、行われ得るので、請求する主題はブロックの順序によって限定されないことを理解および諒解されたい。その上、以下で説明する方法を実施するために、図示されたすべてのブロックが必要とされるわけではないことがある。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００７４】
図８に、本開示の態様による例示的な方法８００のフローチャートを示す。詳細には、方法８００は、８０２において、ＨＡＲＱプロセスにおける制御信号およびデータ信号をＵＥに送信することを備えることができる。さらに、８０４において、方法８００は、ＨＡＲＱプロセスのＵＥ応答時間より前にデータ信号または制御信号をＵＥに再送信することを備えることができる。本開示の一態様によれば、データ信号または制御信号を送信することと再送信することとは、ワイヤレスチャネルの後続のサブフレームにおいて実行される。一方、他の態様では、データ信号または制御信号を送信することと再送信することとは、ＵＥ応答時間より前にある非後続のサブフレームにおいて実行される。１つの特定の例では、方法８００は、ＵＥにおける推定された受信電力とＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することを備えることができる。この例では、ＵＥの処理能力が、ＵＥ応答時間より前に２つの非後続信号をＵＥが受信し、処理することを可能にしない場合、後続のサブフレームにおいて送信することおよび再送信することを選択すること。したがって、方法８００は、ＵＥによるスケジュールされた肯定応答信号より前に信号の送信および再送信を可能にすることによって、ＨＡＲＱシグナリングなどの誤り制御シグナリングにおける低減された遅延を可能にし得る。
【００７５】
図９に、本開示の追加の態様による例示的な方法９００のフローチャートを示す。９０２において、方法９００は、ＵＥの信号処理能力（たとえば、ＵＥの処理速度）についてＵＥに問い合わせることと、それに応答して信号処理能力の報告を受信することとを備えることができる。９０４において、方法９００は、基地局によって送信されるダウンリンク信号についてＵＥのダウンリンク電力測定値を取得することを備えることができる。９０６において、方法９００は、ＵＥへの送信を管理する電力制約を識別することを備えることができる。方法９００は、９０８において、電力測定値を電力制約と比較することと、９１０において、電力制約以下の送信電力がＵＥにおけるターゲット電力測定値を満たすことになるかどうかを判断することとを備えることができる。電力測定値を増加させる必要がない場合は、方法９００は９１２に進むことができ、他の場合は、方法９００は９１４に進む。
【００７６】
９１２において、方法９００は、ＵＥとのワイヤレス通信を達成するために電力制約内で単一の信号をＵＥに送信することを備えることができる。９１２から、方法９００は９２２に進む。９１４において、方法９００は、ＵＥにおけるターゲットＳＮＲを満たすために必要とされる信号の数を判断することを備えることができる。９１６において、方法９００は、ＵＥ処理能力に基づいてＵＥに送信される信号の数を制限することを備えることができる。９１８において、方法９００は、ＵＥからのＡＣＫまたはＮＡＣＫフィードバックから独立した制御信号またはデータ信号の同じまたは異なるＲＶを確立することを備えることができる。９２０において、方法９００は、ＵＥにおいて観測される有効受信エネルギーを増加させるためにターゲットＳＮＲとＵＥ処理能力とに基づいて判断された回数、電力制約以下でデータ信号または制御信号をＵＥに再送信することを備えることができる。一例では、データ信号または制御信号を再送信することは、ＵＥからのＡＣＫ／ＮＡＣＫフィードバックから独立した制御信号またはデータ信号の異なるＲＶの組合せを送信することを備えることができる。９２２において、方法９００は、制御信号またはデータ信号の送信および再送信に基づいてＵＥからＡＣＫ／ＮＡＣＫフィードバックを取得することと、ＵＥによって送信された制御信号およびデータ信号に関係するＡＣＫ／ＮＡＣＫ信号に少なくとも部分的に基づいて、ＵＥによって観測されたダウンリンクチャネル状態を導出することとを備えることができる。少なくとも１つの態様では、方法９００は、データ信号または制御信号を再送信することに関係するリソーススケジューリングのためにダウンリンクチャネル状態を採用することをさらに備えることができる。
【００７７】
９２４において、方法９００は、ＨＡＲＱプロセスにおける追加の通信が存在するかどうかを判断することを備えることができる。追加の通信が存在しない場合は、方法９００は、９２６に進み、終了することができる。他の場合は、方法９００は参照番号９０６に戻ることができる。説明したように、方法９００は、ワイヤレス通信における信号遅延を低減するフレキシブルな誤り制御シグナリングであって、特定のワイヤレス状態とＵＥの処理能力とに合わせて調整された誤り制御シグナリングを与えることができる。
【００７８】
図１０に、本開示のさらに他の態様による例示的な方法１０００のフローチャートを示す。１００２において、方法１０００は、ＨＡＲＱプロセスの信号タイムスロット上でデータ送信を受信することを備えることができる。１００４において、方法１０００は、ＨＡＲＱプロセスの後続の信号タイムスロット上で後続のデータ送信を受信することを備えることができる。さらに、１００６において、方法１０００は、データ送信に応答してフィードバック信号を送信するより前にデータ送信と後続のデータ送信との組合せを復号することを備えることができる。フィードバック信号を送信するより前にデータ送信と後続の送信とを組み合わせることによって、従来の誤り制御シグナリングにおいて本来なら必要とされる時間よりも少ない時間においてデータ送信の受信電力が増加させられ得る。
【００７９】
図１１に、本開示の追加の態様による例示的な方法１１００のフローチャートを示す。方法１１００は、１１０２において、ＨＡＲＱプロセスのサブフレーム上でデータ送信を受信することと、１１０４において、ＨＡＲＱプロセスの後続のサブフレーム上で後続の送信を受信することとを備えることができる。１１０６において、データ送信に対する応答時間が満了したかどうかに関する判断が行われる。データ送信に対する応答時間が満了していない場合は、方法１１００は１１０８に進むことができ、他の場合は、方法１１００は、後続のデータ送信が、データ送信のためのスケジュールされたフィードバックシグナリングより前に受信された場合、後続のデータ送信がＨＡＲＱプロセスの再送信であると推論することを備え、１１１０に進む。
【００８０】
１１０８において、方法１１００は、データ送信と後続のデータ送信とを復号することの結果をＨＡＲＱプロセスのための別個のアップリンクＡＣＫまたはＮＡＣＫ応答において送ることを備えることができる。方法１１００は参照番号１１０８後に終了することができる。１１１０において、方法１１００は、データ送信を管理する制御命令を復号することを備えることができる。１１１２において、方法１１００は、ＨＡＲＱプロセスのためのデータ送信の復号を管理する制御チャネル信号を取得することと、制御チャネル信号のＴＴＩ持続時間を指定または暗示するネットワーク命令を受信することとを備えることができる。１１１４において、方法１１００は、ネットワークマッピング関数からＴＴＩ持続時間のそれぞれのＴＴＩについてＲＶを導出することを備えることができる。一態様では、ＲＶを導出することは、それぞれのＴＴＩについてＲＶを取得するために確定または暗黙的マッピング関数を採用することを備えることができる。１１１６において、方法１１００は、セル識別子、ＵＥ識別子、または制御チャネル信号もしくはデータ送信が受信されるサブフレーム番号、あるいはそれらの組合せに基づいて、ＴＴＩ持続時間のそれぞれのＴＴＩについてＲＶを判断することを備えることができる。
【００８１】
１１１８において、方法１１００は、データ送信の受信エネルギーをターゲット受信エネルギーと比較することを備えることができる。１１２０において、方法１１００は、データ送信を受信するＵＥの処理能力についての要求を受信することと、処理能力のメトリックで応答することとを備えることができ、後続のデータ送信の数または後続のデータ送信のＴＴＩ遅延は、処理能力のメトリックに少なくとも部分的に基づく。さらに１１２０において、方法１１００は、ＵＥ処理速度に関して送信タイミングを分析することを備えることができる。１１２２において、方法１１００は、データ送信を、後続のデータ送信と、またはフィードバック信号を送信するより前に受信された追加の後続のデータ送信と、選択的に組み合わせることを備えることができる。少なくとも１つの例では、データ送信を、後続のデータ送信と、または追加の後続のデータ送信と、選択的に組み合わせることは、データ送信の受信エネルギーと、データ送信を受信するＵＥの処理能力とに少なくとも部分的に基づく。１１２４において、方法１１００は、データ送信と後続のデータ送信（または追加の後続のデータ送信）との結果をＨＡＲＱプロセスのためのアップリンクＡＣＫまたはＮＡＣＫ応答において送信することを備えることができる。
【００８２】
図１２および図１３に、本開示の態様による、異種アクセスポイントワイヤレスネットワークにおけるネットワーク支援セル収集を行うための様々な例示的な装置１２００および１３００（たとえば、電子デバイス）を示す。たとえば、装置１２００および１３００は、少なくとも部分的に、ワイヤレス通信ネットワーク内に、および／またはノード、基地局、アクセスポイント、ユーザ端末、モバイルインターフェースカードに結合されたパーソナルコンピュータなどの送信機内に常駐することができる。装置１２００および１３００は、機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００８３】
図１２は、本開示の追加の態様による例示的な装置１２００のブロック図を示している。装置１２００は、ワイヤレス通信における誤り制御シグナリングの低減された遅延を実装するためのモジュールまたは命令を記憶するためのメモリ１２０２と、それらのモジュールまたは命令を実行するためのデータプロセッサ１２０８とを備えることができる。さらに、装置１２００は、ＨＡＲＱプロセスにおける制御信号およびデータ信号をＵＥに送信するためのモジュール１２０４を備えることができる。さらに、装置１２００は、ＨＡＲＱプロセスのＵＥ応答時間より前にデータ信号または制御信号をＵＥに再送信するためのモジュール１２０６をも備えることができる。少なくとも１つの態様では、ＵＥ応答時間は、制御信号またはデータ信号が最初に送信されるサブフレームと相関する、スケジュールされたＡＣＫ／ＮＡＣＫシグナリングサブフレームを備える。
【００８４】
図１３は、本開示のさらに他の態様による例示的な装置１３００のブロック図を示している。装置１３００は、ワイヤレス通信の低減された遅延または低減されたオーバーヘッドを与えるように構成された誤り制御信号に従ってワイヤレス通信におけるフィードバックシグナリングを実装するためのモジュールまたは命令を記憶するためのメモリ１３０２と、それらのモジュールまたは命令を実行するためのデータプロセッサ１３１０とを備えることができる。詳細には、装置１３００は、ＨＡＲＱプロセスの信号タイムスロット上でデータ送信を受信するためのモジュール１３０４を備えることができる。さらに、装置１３００は、ＨＡＲＱプロセスの後続の信号タイムスロット上で後続のデータ送信を受信するためのモジュール１３０６を備えることができる。本開示の特定の態様によれば、装置１３００は、データ送信に応答してフィードバック信号を送信するより前にデータ送信と後続のデータ送信との組合せを復号するためのモジュール１３０８をさらに備えることができる。装置１３００は、次いで、組み合わせられたデータ送信と後続のデータ送信とに関係するフィードバック信号を送ることができ、これにより、前の信号の再送信のために従来のＨＡＲＱプロセスによって採用される最小分離時間を待つことなしに、データ送信のための受信エネルギーの増加が可能になる。
【００８５】
図１４に、本明細書で開示するいくつかの態様による、ワイヤレス通信を可能にすることができる例示的なシステム１４００のブロック図を示す。ＤＬ上で、アクセスポイント１４０５において、送信（ＴＸ）データプロセッサ１４１０は、トラフィックデータを受信し、フォーマットし、コーディングし、インターリーブし、変調し（またはシンボルマッピングし）、変調シンボル（「データシンボル」）を供給する。シンボル変調器１４１５は、データシンボルおよびパイロットシンボルを受信し、処理し、シンボルのストリームを供給する。シンボル変調器１４１５は、データおよびパイロットシンボルを多重化し、それらを送信機ユニット（ＴＭＴＲ）１４２０に供給する。各送信シンボルは、データシンボル、パイロットシンボル、または信号値０とすることができる。パイロットシンボルは各シンボル期間中に連続的に送信され得る。パイロットシンボルは、周波数分割多重化（ＦＤＭ）、直交周波数分割多重化（ＯＦＤＭ）、時分割多重化（ＴＤＭ）、符号分割多重化（ＣＤＭ）され得、あるいはそれらまたは同様の変調および／または送信技法の適切な組合せとすることができる。
【００８６】
ＴＭＴＲ１４２０は、シンボルのストリームを受信し、１つまたは複数のアナログ信号に変換し、さらにアナログ信号を調整（たとえば、増幅、フィルタ処理、および周波数アップコンバート）して、ワイヤレスチャネル上での送信に好適なＤＬ信号を生成する。次いで、ＤＬ信号はアンテナ１４２５を介して端末に送信される。端末１４３０において、アンテナ１４３５は、ＤＬ信号を受信し、受信信号を受信機ユニット（ＲＣＶＲ）１４４０に供給する。受信機ユニット１４４０は、受信信号を調整（たとえば、フィルタ処理、増幅、周波数ダウンコンバート）し、調整された信号をデジタル化して、サンプルを取得する。シンボル復調器１４４５は、受信したパイロットシンボルを復調し、チャネル推定のためにプロセッサ１４５０に供給する。シンボル復調器１４４５は、さらに、プロセッサ１４５０からＤＬに関する周波数応答推定値を受信し、受信データシンボルに対してデータ復調を実行して、（送信データシンボルの推定値である）データシンボル推定値を取得し、データシンボル推定値をＲＸデータプロセッサ１４５５に供給し、ＲＸデータプロセッサ１４５５は、データシンボル推定値を復調（すなわち、シンボルデマッピング）し、デインターリーブし、復号して、送信トラフィックデータを復元する。シンボル復調器１４４５およびＲＸデータプロセッサ１４５５による処理は、アクセスポイント１４０５における、それぞれ、シンボル変調器１４１５およびＴＸデータプロセッサ１４１０による処理を補足するものである。
【００８７】
ＵＬ上で、ＴＸデータプロセッサ１４６０がトラフィックデータを処理し、データシンボルを供給する。シンボル変調器１４６５は、データシンボルを受信し、パイロットシンボルと多重化し、変調を実行し、シンボルのストリームを供給する。次いで、送信機ユニット１４７０は、シンボルのストリームを受信し、処理して、ＵＬ信号を生成し、そのＵＬ信号はアンテナ１４３５によってアクセスポイント１４０５に送信される。詳細には、ＵＬ信号は、ＳＣ−ＦＤＭＡ要件に従うことができ、本明細書で説明する周波数ホッピング機構を含むことができる。
【００８８】
アクセスポイント１４０５において、端末１４３０からのＵＬ信号がアンテナ１４２５によって受信され、受信機ユニット１４７５によって処理されて、サンプルが取得される。次いで、シンボル復調器１４８０が、それらのサンプルを処理し、ＵＬに関する受信パイロットシンボルおよびデータシンボル推定値を供給する。ＲＸデータプロセッサ１４８５は、データシンボル推定値を処理して、端末１４３０によって送信されたトラフィックデータを復元する。プロセッサ１４９０は、ＵＬ上で送信している各アクティブ端末についてチャネル推定を実行する。複数の端末が、パイロットサブバンドのそれらのそれぞれの割り当てられたセット上でパイロットをＵＬ上で同時に送信することができ、パイロットサブバンドセットはインターレースされ得る。
【００８９】
プロセッサ１４９０および１４５０は、それぞれアクセスポイント１４０５および端末１４３０上の操作を指示（たとえば制御、調整、管理など）する。それぞれのプロセッサ１４９０および１４５０は、プログラムコードおよびデータを記憶するメモリユニット（図示せず）に結合され得る。プロセッサ１４９０および１４５０はまた、それぞれＵＬおよびＤＬについての周波数および時間ベースのインパルス応答推定値を導出するための計算を実行することができる。
【００９０】
多元接続システム（たとえば、ＳＣ−ＦＤＭＡ、ＦＤＭＡ、ＯＦＤＭＡ、ＣＤＭＡ、ＴＤＭＡなど）の場合、複数の端末がＵＬ上で同時に送信することができる。そのようなシステムの場合、パイロットサブバンドを異なる端末の間で共有することができる。各端末のためのパイロットサブバンドが（場合によっては、帯域エッジを除いて）動作帯域全体にわたる場合、チャネル推定技術を使用することができる。そのようなパイロットサブバンド構造は、端末ごとに周波数ダイバーシティを得るために望ましいであろう。
【００９１】
本明細書で説明する技法は様々な手段によって実装され得る。たとえば、これらの技法はハードウェア、ソフトウェア、またはそれらの組合せで実装され得る。ハードウェア実装の場合、それはデジタル、アナログ、デジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、あるいはそれらの組合せの中で実装され得る。ソフトウェアでは、本明細書で説明する機能を実行するモジュール（たとえば、プロシージャ、関数など）によって実装することができる。ソフトウェアコードは、メモリユニットに記憶され、プロセッサ１４９０および１４５０によって実行され得る。
【００９２】
図１５に、たとえば１つまたは複数の態様とともに利用され得る、複数の基地局１５１０（たとえば、ワイヤレスアクセスポイント、ワイヤレス通信装置）および複数の端末１５２０（たとえば、ＡＴ）をもつワイヤレス通信システム１５００を示す。基地局１５１０は、概して、端末と通信する固定局であり、特定の用語が周りのコンテキストによって暗示される場合を除いて、互換的にアクセスポイント、ノードＢ、または何らかの他の用語で呼ばれ得る。各基地局１５１０は、図１５において１５０２ａ、１５０２ｂ、および１５０２ｃと標示された３つの地理的エリアとして示された、特定の地理的エリアまたはカバレージエリアの通信カバレージを与える。「セル」という用語は、その用語が使用されるコンテキストに応じてＢＳまたはそのカバレージエリアを指すことができる。システム容量を改善するために、ＢＳの地理的エリア／カバレージエリアは、複数のより小さいエリア（たとえば、図１５のセル１５０２ａによる、３つの、より小さいエリア）１５０４ａ、１５０４ｂ、および１５０４ｃに分割され得る。各々のより小さいエリア（１５０４ａ、１５０４ｂ、１５０４ｃ）は、それぞれのベーストランシーバサブシステム（ＢＴＳ）によってサービスされ得る。「セクタ」という用語は、その用語が使用されるコンテキストに応じてＢＴＳまたはそのカバレージエリアを指すことができる。セクタ化されたセルの場合、そのセルのすべてのセクタのＢＴＳは、典型的には、そのセルの基地局内に共設される。本明細書で説明する送信技法は、セクタ化されたセルをもつシステムならびにセクタ化されないセルをもつシステムに使用され得る。簡単のために、本明細書では、別段の規定がない限り、「基地局」という用語は、セクタをサービスする固定局、ならびにセルをサービスする固定局に対して総称的に使用する。
【００９３】
端末１５２０は、一般に、システム全体にわたって分散され、各端末１５２０は固定でも移動でもよい。端末１５２０は、移動局、ユーザ機器、ユーザデバイス、ワイヤレス通信装置、アクセス端末、ユーザ端末または何らかの他の用語で呼ばれることもある。端末１５２０は、ワイヤレスデバイス、セルラー電話、携帯情報端末（ＰＤＡ）、ワイヤレスモデムカードなどとすることができる。各端末１５２０は、所与の瞬間において、ダウンリンク（たとえば、ＦＬ）およびアップリンク（たとえば、ＲＬ）上の０、１つ、または複数の基地局１５１０と通信することができる。ダウンリンクは、基地局から端末への通信リンクを指し、アップリンクは、端末から基地局への通信リンクを指す。
【００９４】
集中型アーキテクチャの場合、システムコントローラ１５３０が、基地局１５１０に結合し、基地局１５１０の調整および制御を行う。分散アーキテクチャの場合、基地局１５１０は、必要に応じて（たとえば、基地局１５１０を通信可能に結合するワイヤードまたはワイヤレスバックホールネットワークを通して）互いに通信することができる。順方向リンク上のデータ送信は、しばしば１つのアクセスポイントから１つのアクセス端末に、順方向リンクまたは通信システムによってサポートされ得る最大データレートで、またはその近くで行われる。順方向リンクの追加のチャネル（たとえば、制御チャネル）は、複数のアクセスポイントから１つのアクセス端末に送信され得る。逆方向リンクのデータ通信は、１つのアクセス端末から１つまたは複数のアクセスポイントに行われることがある。
【００９５】
図１６は、様々な態様による、計画または半計画ワイヤレス通信環境１６００の図である。ワイヤレス通信環境１６００は、互いに、および／または１つまたは複数のモバイルデバイス１６０４に対して、ワイヤレス通信信号の受信、送信、再送などを行う１つまたは複数のセルおよび／またはセクタ内に１つまたは複数の基地局１６０２を備えることができる。図示のように、各基地局１６０２は、１６０６ａ、１６０６ｂ、１６０６ｃおよび１６０６ｄと標示された４つの地理的エリアとして示される特定の地理的エリアの通信カバレージを与えることができる。各基地局１６０２は、当業者なら了解するように、送信機チェーンと受信機チェーンとを備えることができ、送信機チェーンおよび受信機チェーンの各々は、信号の送信および受信に関連する複数の構成要素（たとえば、プロセッサ、変調器、マルチプレクサ、復調器、デマルチプレクサ、アンテナなど、上記の図１４を参照）を備えることができる。モバイルデバイス１６０４は、たとえば、セルラー電話、スマートフォン、ラップトップ、ハンドヘルド通信デバイス、ハンドヘルドコンピューティングデバイス、衛星ラジオ、全地球測位システム、ＰＤＡ、またはワイヤレス通信環境１６００上で通信するための任意の他の適切なデバイスとすることができる。ワイヤレス通信環境１６００は、本明細書に記載のように、ワイヤレス通信におけるマルチノード中継割当ておよびセル分割効果を可能にするために、本明細書で説明する様々な態様に関連して採用され得る。
【００９６】
本開示において使用する、「構成要素」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、信号を介して、ローカルシステム、分散システム内の別の構成要素と対話する、またはインターネットなどのネットワーク上で他のシステムと対話する、１つの構成要素からのデータ）を有する信号によるなど、ローカルプロセスまたはリモートプロセスを介して通信することができる。さらに、当業者なら了解するように、本明細書で説明するシステムの構成要素またはモジュールは、それに関して説明する様々な態様、目的、利点などを達成することができるように追加の構成要素／モジュール／システムによって再構成または補完され得、所与の図に記載の正確な構成に限定されない。
【００９７】
さらに、本明細書では、様々な態様について、ＵＥに関して説明する。ＵＥは、システム、加入者ユニット、加入者局、移動局、モバイル、モバイル通信デバイス、モバイルデバイス、リモート局、リモート端末、ＡＴ、ユーザエージェント（ＵＡ）、ユーザデバイス、またはユーザ端末（ＵＥ）と呼ばれることもある。加入者局は、セルラー電話、コードレス電話、セッションイニシエーションプロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００９８】
１つまたは複数の例示的な実施形態では、説明する機能は、ハードウェア、ソフトウェア、ファームウェア、ミドルウェア、マイクロコード、またはそれらの適切な組合せで実装され得る。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の物理媒体であり得る。限定ではなく例として、そのようなコンピュータ記憶媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、スマートカード、およびフラッシュメモリデバイス（たとえば、カード、スティック、キードライブ．．．）、あるいは命令またはデータ構造の形態の所望のプログラムコードを搬送または記憶するために使用され得、コンピュータによってアクセスされ得る、任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００９９】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、あるいはそれらの組合せの中で実装または実行され得る。汎用プロセッサはマイクロプロセッサとすることができるが、代替として、プロセッサは、任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成として実装され得る。さらに、少なくとも１つのプロセッサは、本明細書で説明するステップおよび／またはアクションのうちの１つまたは複数を実行するように動作可能な１つまたは複数のモジュールを備えることができる。
【０１００】
さらに、本明細書で説明する様々な態様または特徴は、標準のプログラミングおよび／またはエンジニアリング技法を使用した方法、装置、または製造品として実装され得る。さらに、本明細書で開示する態様に関して説明する方法またはアルゴリズムのステップおよび／またはアクションは、直接ハードウェアで実施されるか、プロセッサによって実行されるソフトウェアモジュールで実施されるか、またはその２つの組合せで実施され得る。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。
【０１０１】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを使用する」は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【０１０２】
さらに、本明細書で使用する「推論する」または「推論」という用語は、概して、イベントまたはデータを介して捕捉される観測のセットから、システム、環境、またはユーザの状態を推理または推論するプロセスを指す。推論は、特定のコンテキストまたはアクションを識別するために使用され得、あるいは、たとえば、状態の確率分布を生成することができる。推論は、確率的、すなわち、データおよびイベントの考察に基づく当該の状態の確率分布の計算とすることができる。推論は、イベントまたはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１０３】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識されよう。したがって、開示した主題は、添付の特許請求の範囲の趣旨および範囲内に入るすべてのそのような改変形態、変更形態および変形形態を包含するものとする。さらに、「含む（include）」、「有する（has）」または「有する（having）」という用語は、そのような用語が、発明を実施するための形態または特許請求の範囲のいずれかにおいて使用される限り、「備える（comprising）」という用語を採用すると請求項における移行語と解釈されるように「備える（comprising）」と同様に包括的なものとする。
以下に、本願出願の当初の特許請求の範囲に記載された発明を付記する。
［１］ハイブリッド自動再送要求プロセス（ＨＡＲＱプロセス）における制御信号およびデータ信号をユーザ機器（ＵＥ）に送信することと、
前記ＨＡＲＱプロセスのＵＥ応答時間より前に前記データ信号または前記制御信号を前記ＵＥに再送信することと、を備えるワイヤレス通信のための方法。
［２］前記データ信号または前記制御信号を送信することと再送信することとが、ワイヤレスチャネルの後続のサブフレームにおいて実行される、［１］に記載の方法。
［３］前記データ信号または前記制御信号を送信することと再送信することとが、前記ＵＥ応答時間より前にある非後続のサブフレームにおいて実行される、［１］に記載の方法。
［４］前記ＵＥの信号処理能力について前記ＵＥに問い合わせることと、前記信号処理能力を受信することとをさらに備える、［１］に記載の方法。
［５］前記ＵＥへの送信を管理する電力制約を識別することと、
前記ＵＥにおいて観測される有効受信エネルギーを増加させるために前記ＵＥ応答時間より前に前記電力制約以下で前記データ信号または前記制御信号を再送信することと、をさらに備える、［１］に記載の方法。
［６］前記ＵＥにおける推定された受信電力と前記ＵＥの処理能力とに少なくとも部分的に基づいて、ワイヤレスチャネルの後続のサブフレームにおいて送信することおよび再送信すること、またはワイヤレスチャネルの非後続のサブフレームにおいて送信することおよび再送信することを選択することをさらに備える、［１］に記載の方法。
［７］前記ＵＥの処理能力が、前記ＵＥ応答時間より前に２つの非後続信号を前記ＵＥが受信し、処理することを可能にしない場合、後続のサブフレームにおいて送信することおよび再送信することを選択することをさらに備える、［６］に記載の方法。
［８］前記ＵＥからの肯定応答（ＡＣＫ）または否定応答（ＮＡＣＫ）フィードバックから独立した前記制御信号または前記データ信号の同じまたは異なる冗長バージョン（ＲＶ）を送信することをさらに備える、［１］に記載の方法。
［９］前記ＵＥからのＡＣＫ／ＮＡＣＫフィードバックから独立した前記制御信号または前記データ信号の異なるＲＶの組合せを送信することをさらに備える、［１］に記載の方法。
［１０］前記ＵＥによって送信された前記制御信号および前記データ信号に関係するＡＣＫ／ＮＡＣＫ信号に少なくとも部分的に基づいて、前記ＵＥによって観測されたダウンリンクチャネル状態を導出することをさらに備える、［１］に記載の方法。
［１１］前記データ信号または前記制御信号を再送信することに関係するリソーススケジューリングのために前記ダウンリンクチャネル状態を採用することをさらに備える、［１０］に記載の方法。
［１２］ワイヤレス信号をユーザ機器（ＵＥ）と交換するためにワイヤレストランシーバを採用するための通信インターフェースと、
ワイヤレス通信におけるハイブリッド自動再送要求（ＨＡＲＱ）信号の低減された遅延を与えるための命令を記憶するためのメモリと、
前記命令を実装するモジュールを実行するためのデータプロセッサと
を備える、ワイヤレス通信のための装置であって、前記モジュールが、
ＨＡＲＱプロセスの制御信号またはデータ信号の再送信タイミングを確立する制御モジュールと、
前記ＨＡＲＱプロセスのための制御信号またはデータ信号を送信し、次いで前記ＨＡＲＱプロセスの最小分離時間未満中に再送信するために、前記再送信タイミングを採用する送信モジュールと、を備える装置。
［１３］前記最小分離時間が、前記ＨＡＲＱプロセスにおけるダウンリンク送信を開始することと、前記ＵＥによるアップリンク肯定応答（ＡＣＫ）または否定応答（ＮＡＣＫ）送信の開始との間の応答期間を定義する、［１２］に記載の装置。
［１４］前記制御信号または前記データ信号の送信および再送信が、前記最小分離時間内の後続のサブフレームまたは非後続のサブフレーム中にある、［１２］に記載の装置。
［１５］前記送信モジュールは、さらに、前記制御信号が有効である送信時間間隔の持続時間（ＴＴＩの持続時間）を前記ＵＥに送信する、［１２］に記載の装置。
［１６］前記制御モジュールが、ＴＴＩの前記持続時間を送信するために、システム情報ブロック送信、無線リソース制御送信または物理ダウンリンク制御チャネル送信を確立する、［１５］に記載の装置。
［１７］前記制御モジュールが、ＴＴＩの前記持続時間内のそれぞれのＴＴＩについて冗長バージョン（ＲＶ）を指定するためのマッピング関数を採用する、［１５］に記載の装置。
［１８］前記制御モジュールが、ＴＴＩの前記持続時間内のそれぞれのＴＴＩについて、ＲＶと、前記ＵＥの識別子、セル識別子またはサブフレーム番号との間の確定関係を確立する、［１５］に記載の装置。
［１９］前記送信モジュールが、ＴＴＩの前記持続時間内に第２の制御信号のペイロードを送り、さらに、前記ペイロードが、前記ＨＡＲＱプロセスに、または前記ワイヤレス通信の別のＨＡＲＱプロセスに適用可能である、［１５］に記載の装置。
［２０］前記ワイヤレス通信のための送信電力制約と、前記ＵＥのターゲット受信エネルギーとを識別する電力モジュールをさらに備える、［１２］に記載の装置。
［２１］前記電力モジュールが、前記制御信号または前記データ信号の受信エネルギーを前記ターゲット受信エネルギーまで増加させるのに十分な回数、前記制御信号または前記データ信号を再送信するように前記送信モジュールに命令する、［２０］に記載の装置。
［２２］前記送信モジュールは、前記ＵＥにおけるそれぞれの送信の受信エネルギーを増加させるために、前記最小分離時間内の複数の制御送信または複数のデータ送信が、再送信される信号として扱われ、組み合わせられるべきであることを示す命令を前記ＵＥに送る、［２１］に記載の装置。
［２３］ハイブリッド自動再送要求プロセス（ＨＡＲＱプロセス）における制御信号およびデータ信号をユーザ機器（ＵＥ）に送信する手段と、
前記ＨＡＲＱプロセスのＵＥ応答時間より前に前記データ信号または前記制御信号を前記ＵＥに再送信する手段と、を備えるワイヤレス通信のための装置。
［２４］ハイブリッド自動再送要求プロセス（ＨＡＲＱプロセス）における制御信号およびデータ信号をユーザ機器（ＵＥ）に送信する第１のモジュールと、
前記ＨＡＲＱプロセスのＵＥ応答時間より前に前記データ信号または前記制御信号を前記ＵＥに再送信する第２のモジュールと、を備える、ワイヤレス通信のために構成された少なくとも１つのプロセッサ。
［２５］ハイブリッド自動再送要求プロセス（ＨＡＲＱプロセス）における制御信号およびデータ信号をユーザ機器（ＵＥ）に送信することをコンピュータに行わせるための第１のコードセットと、
前記ＨＡＲＱプロセスのＵＥ応答時間より前に前記データ信号または前記制御信号を前記ＵＥに再送信することを前記コンピュータに行わせるための第２のコードセットとを備える、コンピュータ可読媒体を備える、コンピュータプログラム製品。
［２６］ハイブリッド自動再送要求プロセス（ＨＡＲＱプロセス）の信号タイムスロット上でデータ送信を受信することと、
前記ＨＡＲＱプロセスの後続の信号タイムスロット上で後続のデータ送信を受信することと、
前記データ送信に応答してフィードバック信号を送信するより前に前記データ送信と前記後続のデータ送信との組合せを復号することとを備える、ワイヤレス通信の方法。
［２７］前記データ送信と前記後続のデータ送信とを復号することの結果を前記ＨＡＲＱプロセスのためのアップリンク肯定応答（ＡＣＫ）または否定応答（ＮＡＣＫ）応答において送ることをさらに備える、［２６］に記載の方法。
［２８］前記データ送信を、前記後続のデータ送信と、または前記フィードバック信号を送信するより前に受信された追加の後続のデータ送信と、選択的に組み合わせることをさらに備える、［２６］に記載の方法。
［２９］前記データ送信を、前記後続のデータ送信と、または追加の後続のデータ送信と、選択的に組み合わせることが、前記データ送信の受信エネルギーと、前記データ送信を受信するユーザ機器（ＵＥ）の処理能力とに少なくとも部分的に基づく、［２８］に記載の方法。
［３０］前記後続のデータ送信が、前記データ送信のためのスケジュールされたフィードバックシグナリングより前に受信された場合、前記後続のデータ送信が前記ＨＡＲＱプロセスの再送信であると推論することをさらに備える、［２６］に記載の方法。
［３１］前記ＨＡＲＱプロセスのためのデータ送信の復号を管理する制御チャネル信号を取得することをさらに備える、［２６］に記載の方法。
［３２］前記制御チャネル信号の送信時間間隔持続時間（ＴＴＩ持続時間）を指定または暗示するネットワーク命令を受信することをさらに備える、［３１］に記載の方法。
［３３］前記ＴＴＩ持続時間内に追加の制御チャネル信号を受信することと、前記追加の制御チャネル信号を復号することまたは廃棄することを選択することとをさらに備える、［３２］に記載の方法。
［３４］ネットワークマッピング関数から前記ＴＴＩ持続時間のそれぞれのＴＴＩについて冗長バージョン（ＲＶ）を導出することをさらに備える、［３２］に記載の方法。
［３５］セル識別子、ＵＥ識別子、または前記制御チャネル信号もしくは前記データ送信が受信されるサブフレーム番号、あるいはそれらの組合せに基づいて、前記ＴＴＩ持続時間のそれぞれのＴＴＩについてＲＶを判断することをさらに備える、［３２］に記載の方法。
［３６］前記データ送信を受信するＵＥの処理能力についての要求を受信することと、前記処理能力のメトリックで応答することとをさらに備え、後続のデータ送信の数または前記後続のデータ送信の送信時間間隔遅延が、前記処理能力の前記メトリックに少なくとも部分的に基づく、［２６］に記載の方法。
［３７］ワイヤレス信号を基地局と交換するための通信インターフェースと、
ワイヤレス通信のためのハイブリッド自動再送要求機能（ＨＡＲＱ機能）を与えるように構成された命令を記憶するためのメモリと、
前記命令を実装するためのモジュールを実行するためのデータプロセッサと
を備える、ワイヤレス通信のために構成された装置であって、前記モジュールが、
ＨＡＲＱプロセスのフィードバック応答ウィンドウ内に前記通信インターフェースによって受信された複数のデータ信号を取得するバッファモジュールと、
前記複数のデータ信号のうちの少なくとも１つの信号の受信エネルギーがターゲット信号対雑音比レベル（ターゲットＳＮＲレベル）を下回る場合、復号するために前記複数のデータ信号を組み合わせる分析モジュールと、を備える装置。
［３８］前記複数のデータ信号に応答して肯定応答（ＡＣＫ）または否定応答（ＮＡＣＫ）シグナリング（ＡＣＫ／ＮＡＣＫシグナリング）を実行するフィードバックモジュールをさらに備える、［３７］に記載の装置。
［３９］前記フィードバック応答ウィンドウは、前記複数のデータ信号のうちの第１のデータ信号が送信される送信時間間隔（ＴＴＩ）で開始し、ＡＣＫ／ＮＡＣＫシグナリングがスケジュールされている後続のＴＴＩで終了するように定義される、［３７］に記載の装置。
［４０］前記分析モジュールが、前記複数のデータ信号または前記複数のデータ信号の再送信の位置を特定し、それらを復号することに関する情報を含んでいる制御チャネル命令を復号する、［３７］に記載の装置。
［４１］前記制御チャネル命令が有効である持続時間を識別する有効性モジュールをさらに備える、［４０］に記載の装置。
［４２］前記有効性モジュールが、前記制御チャネル命令もしくは関係する制御チャネル命令から、無線リソース制御シグナリングから、またはシステム情報シグナリングから、あるいはそれらの組合せから、前記持続時間を明示的に判断する、［４１］に記載の装置。
［４３］セル識別子、ユーザ機器識別子、または  前記制御チャネル命令のサブフレーム、あるいはそれらの組合せに基づいて、確定マッピング関数から、前記持続時間内のダウンリンク送信のための送信固有変数を識別する、反復モジュールをさらに備える、［４１］に記載の装置。
［４４］前記送信固有変数が、前記ダウンリンク送信に関連する冗長バージョンを備える、［４３］に記載の装置。
［４５］前記複数のデータ信号のうち、前記ターゲットＳＮＲレベルを満たすのに十分である数のデータ信号を組み合わせるように前記分析モジュールに命令する電力推定モジュールをさらに備える、［３７］に記載の装置。
［４６］前記フィードバック応答ウィンドウのサイズ、または前記フィードバック応答ウィンドウ内のそれぞれのデータ信号のロケーションと比較して、前記装置の処理速度に少なくとも部分的に基づいて、復号するために前記分析モジュールによって組み合わせられる前記複数のデータ信号の数を制限する、タイミングモジュールをさらに備える、［３７］に記載の装置。
［４７］好適な数の前記複数のデータ信号の送信、またはそれぞれのデータ信号の時間ベーススケジューリングを可能にするために、前記基地局から受信した信号のエネルギー測定値と前記装置の処理速度とを前記基地局に与える同期モジュールをさらに備える、［３７］に記載の装置。
［４８］ハイブリッド自動再送要求プロセス（ＨＡＲＱプロセス）の信号タイムスロット上でデータ送信を受信する手段と、
前記ＨＡＲＱプロセスの後続の信号タイムスロット上で後続のデータ送信を受信する手段と、
前記データ送信に応答してフィードバック信号を送信するより前に前記データ送信と前記後続のデータ送信との組合せを復号する手段とを備える、ワイヤレス通信のために構成された装置。
［４９］ハイブリッド自動再送要求プロセス（ＨＡＲＱプロセス）の信号タイムスロット上でデータ送信を受信するための第１のモジュールと、
前記ＨＡＲＱプロセスの後続の信号タイムスロット上で後続のデータ送信を受信するための第２のモジュールと、
前記データ送信に応答してフィードバック信号を送信するより前に前記データ送信と前記後続のデータ送信との組合せを復号するための第３のモジュールとを備える、ワイヤレス通信のために構成された少なくとも１つのプロセッサ。
［５０］ハイブリッド自動再送要求プロセス（ＨＡＲＱプロセス）の信号タイムスロット上でデータ送信を受信することをコンピュータに行わせるための第１のコードセットと、
前記ＨＡＲＱプロセスの後続の信号タイムスロット上で後続のデータ送信を受信することを前記コンピュータに行わせるための第２のコードセットと、
前記データ送信に応答してフィードバック信号を送信するより前に前記データ送信と前記後続のデータ送信との組合せを復号することを前記コンピュータに行わせるための第３のコードセットとを備える、コンピュータ可読媒体を備える、コンピュータプログラム製品。
【図１】
0005543587.tif 000002
【図２】
0005543587.tif 000003
【図３】
0005543587.tif 000004
【図４】
0005543587.tif 000005
【図５】
0005543587.tif 000006
【図６】
0005543587.tif 000007
【図７】
0005543587.tif 000008
【図８】
0005543587.tif 000009
【図９】
0005543587.tif 000010
【図１０】
0005543587.tif 000011
【図１１】
0005543587.tif 000012
【図１２】
0005543587.tif 000013
【図１３】
0005543587.tif 000014
【図１４】
0005543587.tif 000015
【図１５】
0005543587.tif 000016
【図１６】
0005543587.tif 000017